(57)【要約】【課題】映像信号の変換処理に際しての画質劣化の抑制及び低消費電力化を小さな回路規模により有効に実現する映像信号処理回路，映像表示装置，映像信号処理方法，及びそのプログラムを提供すること。【解決手段】外部入力された映像信号を分析すると共に、この分析の結果に基づいて、当該映像信号に画質調整用の変換処理を施した上でこれを映像表示部２０に向けて送出する映像信号処理回路１２は、上記映像信号の明暗の度合を数値化した特徴値を算出する特徴値・最大値算出手段４１と、この特徴値と予め設定された変換係数とをもとに構成される閾値算定式に基づいて階調の変換にかかる閾値を算定する階調変換閾値算定手段６１と、上記映像信号の内で上記閾値以上の階調である領域を対象として、線形的に増加する一次関数に基づく階調変換を施す階調変換手段７１と、を有する。【選択図】図１
2015034841.tif 000002
【特許請求の範囲】
【請求項１】
外部入力された映像信号を分析すると共に、この分析の結果に基づいて、当該映像信号に画質調整用の変換処理を施した上でこれを映像表示部に向けて送出し、且つこの映像表示部を背面から照らすバックライトにかかる駆動制御信号を生成し送信する映像信号処理回路であって、
前記映像信号の明暗の度合を数値化した特徴値を算出する特徴値算出部と、
この特徴値と当該特徴値により特定される閾値とに基づいて前記映像信号の階調の変換処理を実行する階調変換処理部と、を有し、
前記階調変換処理部は、
前記特徴値と予め設定された変換係数とをもとに構成される閾値算定式に基づいて前記閾値を算定する階調変換閾値算定手段と、
前記映像信号の内で前記閾値以上の階調である領域を対象として、線形的に増加する一次関数に基づく階調変換を施す階調変換手段と、を有することを特徴とした映像信号処理回路。
【請求項２】
前記請求項１に記載の映像信号処理回路において、
前記閾値算定式が、四則演算で構成されていることを特徴とした映像信号処理回路。
【請求項３】
前記請求項１に記載の映像信号処理回路において、
前記閾値をXa，前記特徴値をRank，前記変換係数をαとした場合に、
前記閾値算定式は、「Xa =α＾( 1 / 2.2 ) × Rank」なる数式にて表されることを特徴とした映像信号処理回路。
【請求項４】
前記請求項１乃至３の何れか１つに記載の映像信号処理回路において、
前記線形的に増加する一次関数が、四則演算で構成されていることを特徴とした映像信号処理回路。
【請求項５】
前記請求項１乃至４の何れか１つに記載の映像信号処理回路において、
前記映像信号の階調の最大値を算出する階調最大値算出部をさらに有し、
前記線形的に増加する一次関数は、前記閾値と前記最大値とをもとに構成された階調変換式で表されることを特徴とした映像信号処理回路。
【請求項６】
前記請求項５に記載の映像信号処理回路において、
前記最大値をMAX，前記映像信号の階調を入力階調，最大階調（ 2＾n - 1 ：nは予め設定された階調表現数）をf(n)，前記変換係数をα，γ=2.2のガンマ曲線上において相対輝度がαの時の階調値をX2.2，前記閾値をXa，前記映像表示部に向けて送出する映像信号の階調を出力階調とした場合に、
前記階調変換式は、「出力階調 = f(n) +｛( f(n) - X2.2 ) / ( MAX - Xa )｝× ( 入力階調 - MAX )」なる数式にて表されることを特徴とした映像信号処理回路。
【請求項７】
前記請求項１乃至４の何れか１つに記載の映像信号処理回路において、
前記線形的に増加する一次関数は、前記閾値の階調から予め設定された階調数によって定まる最大階調までを真っ直ぐに結んだ直線を表すことを特徴とした映像信号処理回路。
【請求項８】
前記請求項１乃至４の何れか１つに記載の映像信号処理回路において、
前記階調変換手段は、前記閾値以上の階調を予め設定された分割係数に基づいて複数の領域に分割すると共に、これら各々の領域に前記線形的に増加する一次関数として傾きの異なる複数の階調変換式を対応づけることを特徴とした映像信号処理回路。
【請求項９】
前記請求項１乃至４の何れか１つに記載の映像信号処理回路において、
前記階調変換手段は、前記閾値以上の階調を予め設定された分割係数に基づいて２つの領域に分割すると共に、これら２つの領域に前記線形的に増加する一次関数として相互に傾きの異なる２つの階調変換式を対応づける機能を有し、
前記２つの階調変換式のうちで、
相対的に小さい階調の領域に対応づけた階調変換式は、前記閾値の階調から予め設定された階調表現数によって定まる最大階調までを真っ直ぐに結んだ直線よりも小さな傾きを有する一次関数であり、
相対的に大きい階調の領域に対応づけた階調変換式は、前記閾値の階調から前記最大階調までを真っ直ぐに結んだ直線よりも大きな傾きを有する一次関数であることを特徴とした映像信号処理回路。
【請求項１０】
前記請求項１乃至９の何れか１つに記載の映像信号処理回路において、
前記階調変換手段は、前記映像信号の内で前記閾値よりも小さい階調である領域を対象として、前記特徴値をもとに構成された幾何級数的に増加する関数に基づく階調変換を施すことを特徴とした映像信号処理回路。
【請求項１１】
前記請求項１乃至９の何れか１つに記載の映像信号処理回路において、
前記バックライトの輝度の低減量を示す前記駆動制御信号を前記特徴値に基づいて生成すると共にこれを当該バックライトに向けて送信する制御信号生成処理部をさらに有し、
前記階調変換手段は、前記映像信号の内で前記閾値よりも小さな階調を有する映像信号に対して、前記輝度の低減量をもとに構成された幾何級数的に増加する関数に基づく階調変換を施すことを特徴とした映像信号処理回路。
【請求項１２】
前記請求項１０又は１１に記載の映像信号処理回路において、
前記映像信号の階調を入力階調，最大階調（ 2＾n - 1 ：nは予め設定された階調表現数）をf(n)，前記特徴値をRank，前記映像表示部に向けて送出する映像信号の階調を出力階調とした場合に、
前記幾何級数的に増加する関数は、「出力階調 = ( f(n) / Rank ) × 入力階調」なる数式にて表されることを特徴とした映像信号処理回路。
【請求項１３】
前記請求項１０乃至１２の何れか１つに記載の映像信号処理回路において、
前記幾何級数的に増加する関数と前記線形的に増加する一次関数とが、前記閾値に位置する境界部にて連続することを特徴とした映像信号処理回路。
【請求項１４】
前記請求項１乃至１３の何れか１つに記載の映像信号処理回路において、
前記階調変換処理部は、前記映像信号の階調が前記閾値の近傍に予め設定された円滑化領域に属するか否かを判定すると共に、当該円滑化領域に属する旨判定した場合に、前記閾値と前記映像信号の階調との差分に基づいて円滑化係数を算出してこれを当該映像信号の階調から減算する円滑化処理手段をさらに有することを特徴とした映像信号処理回路。
【請求項１５】
前記請求項１４に記載の映像信号処理回路において、
前記映像信号の階調の最大値をMAX，前記映像信号の階調を入力階調，前記閾値をXa，前記特徴値をRank，Aを任意の正の数，nを予め設定された階調数とした場合に、
前記円滑化領域は、「 Xa - A ≦ 入力階調 ≦ Xa + A 」という条件式で表され、
前記円滑化処理手段は、前記円滑化係数を「｛( A - | Xa -入力階調 | )＾2 ｝×｛( MAX - Rank ) / ( 2＾n )｝」なる数式に則して算出することを特徴とした映像信号処理回路。
【請求項１６】
前記請求項１４又は１５に記載の映像信号処理回路において、
前記円滑化処理手段は、前記円滑化領域に属しない旨判定した場合に、前記映像信号をそのまま前記映像表示部に向けて出力することを特徴とした映像信号処理回路。
【請求項１７】
前記請求項１乃至１６の何れか１つに記載の映像信号処理回路において、
前記変換係数を予め０．６に設定したことを特徴とする映像信号処理回路。
【請求項１８】
外部に向けて映像を表示する映像表示部と、
この映像表示部を背面から照らすバックライトと、
外部入力された映像信号を分析すると共に、この分析の結果に基づいて、当該映像信号に画質調整用の変換処理を施した上でこれを前記映像表示部に向けて送出し、且つこの映像表示部を背面から照らすバックライトにかかる駆動制御信号を生成し送信する映像信号処理回路と、を有し、
この映像信号処理回路として、前記請求項１乃至１７の何れか１つに記載の映像処理回路を備えたことを特徴とする映像表示装置。
【請求項１９】
外部入力された映像信号を分析すると共に、この分析の結果に基づいて、当該映像信号に画質調整用の変換処理を施した上でこれを映像表示部に向けて送出する階調変換処理部と、この映像表示部を背面から照らすバックライトにかかる駆動制御信号を生成し送信する輝度制御回路部と、を有する映像信号処理回路にあって、
前記映像信号の明暗の度合を数値化した特徴値を前記輝度制御回路部が算出し、
この特徴値と予め設定された変換係数とをもとに構成される閾値算定式に基づいて前記階調の変換にかかる閾値を前記階調変換処理部が算定し、
前記映像信号の階調が前記閾値以上であるか否かを前記階調変換処理部が判定し、
前記閾値以上である旨判定した場合に、線形的に増加する一次関数に基づく階調変換を前記階調変換処理部が当該映像信号に施すことを特徴とした映像信号処理方法。
【請求項２０】
前記請求項１９に記載の映像信号処理方法において、
前記外部入力された映像信号の階調が前記閾値の近傍に予め設定された円滑化領域に属するか否かを判定し、
この円滑化領域に属する旨判定した場合に、前記閾値と前記映像信号の階調との差分に基づいて円滑化係数を算出し、
この算出した円滑化係数を前記階調変換後の映像信号の階調から減算し、
これら一連の各工程内容を前記階調変換処理部が順次実行することを特徴とした映像信号処理方法。
【請求項２１】
外部入力された映像信号を分析すると共に、この分析の結果に基づいて、当該映像信号に画質調整用の変換処理を施した上でこれを映像表示部に向けて送出し、且つこの映像表示部を背面から照らすバックライトにかかる駆動制御信号を生成し送信する映像信号処理回路にあって、
前記映像信号の明暗の度合を数値化した特徴値を算出する特徴値算出手段、
この特徴値と予め設定された変換係数とをもとに構成される閾値算定式に基づいて前記階調の変換にかかる閾値を算定する階調変換閾値算定手段、
前記映像信号の階調が前記閾値以上であるか否かを判定する階調判定手段、
この階調判定手段にて前記閾値以上である旨判定した場合に、線形的に増加する一次関数に基づく階調変換を当該映像信号に施す線形的階調変換手段、
として、前記映像信号処理回路に予め設けられたコンピュータを機能させるための映像信号処理プログラム。
【請求項２２】
前記請求項２１に記載の映像信号処理プログラムにおいて、
前記外部入力された映像信号の階調が前記閾値の近傍に予め設定された円滑化領域に属するか否かを判定する閾値近傍判定手段、
前記閾値近傍判定手段にて属する旨判定した場合に、前記閾値と前記映像信号の階調との差分に基づいて円滑化係数を算出すると共に、これを前記階調変換後の映像信号の階調から減算する円滑化処理手段、
として、前記コンピュータを機能させるための映像信号処理プログラム。
【発明の詳細な説明】
【技術分野】
【０００１】
本発明は、映像信号にかかる処理技術に関し、特に、外部から入力される映像信号の変換処理を実行する映像信号処理回路，映像表示装置，映像信号処理方法，及びそのプログラムに関する。
【背景技術】
【０００２】
近年の技術革新に伴って薄型化が進む表示装置では、バックライト（Ｂ／Ｌ）のＬＥＤ化等による低消費電力化が進められている。しかしながら、ＬＥＤ化等を採用した薄型表示装置においても、総消費電力に占めるバックライトの消費電力の割合は依然として大きいため、映像信号に応じてバックライトの輝度を制御し低電力化を図る技術等が継続して研究・開発されている。
【０００３】
ここで、薄型表示装置全体の低消費電力を図ろうとする場合、バックライトの消費電力だけではなく、これを駆動・制御するための回路(ＩＣ：Integrated Circuit)等の消費電力も併せて低減しなければ大きな効果を得ることは出来ない。すなわち、いかにバックライトの消費電力を低減させたとしても、駆動・制御回路の低消費電力化を併せて行わなければ、該装置全体としての低減効果は薄れてしまう。したがって、駆動・制御回路の低消費電力化も、より大きな低減効果を得るための重要な要素となっている。
【０００４】
バックライトを常時点灯させた状態で用いる液晶表示装置等の技術分野では、入力される映像信号に応じてバックライトの輝度を制御するという方法が知られている。こうした制御方法としては、例えば、全体的に暗い映像が入力されると、バックライトの輝度を下げると共にこれに応じたガンマ補正を行うというものがあり、これによって表示画像の視認性に与える影響を少なくし、かつバックライトの低消費電力化を図っている。
【０００５】
こうした方法はＣＡＢＣ(Content Adaptive Brightness Control)とも称され(以下、統一してＣＡＢＣと指称する)、より具体的に説明すると、入力される映像信号が全体的に暗い階調(低階調)で構成される場合には、バックライトの輝度の低減量（輝度低減量）を大きくし、かつ階調変換量(低階調を高階調に変換する度合い)を大きくすることでパネルの透過率を上げ、これにより、バックライトの低電力化を図るという技術内容である。
また、ＣＡＢＣにおいては、入力される映像信号が全体的に明るい階調(高階調)で構成される場合に、輝度低減量を小さくすると共に階調変換量も小さくすることで、入力される本来の表示画像の視認性を保つという手法を採る。
【０００６】
このＣＡＢＣを採り入れた制御回路(ＣＡＢＣ制御回路)においては、例えば全体的に階調の低い映像信号が入力され、該回路内部にて輝度低減量が５０％である旨判定した場合に、階調変換を実行して透過率を２倍に上げるという処理で対応できれば理想的である。
【０００７】
しかしながら、入力される映像信号の階調が全体的に低い場合でも、その一部に高い階調の領域（高階調領域）が存在すると、階調潰れ（階調変換により高階調領域の階調が全て最大階調に変換されて同じ階調となってしまう現象）等により、該高階調領域の階調表現が実現できなくなるという問題が生じ得る。
【０００８】
この階調潰れは、入力された元の映像信号に著しい画質劣化をもたらすため、全体的に階調が低い映像信号の一部に高階調領域が含まれている場合には、少なくともその高階調領域に他の低階調領域との階調差をつけなければならない。
【０００９】
したがって、ＣＡＢＣ制御回路において、画質劣化を抑制し且つバックライトの輝度低減量をより大きくするためには、映像信号に対して境界を設定するための閾値（境界点）を予め決めておき、この閾値をもとに少なくとも２つ以上の領域に分けた上で各領域に適した階調変換を実行する必要がある。
すなわち、上記閾値に基づいて階調変換の領域を２つ以上に区切ると共に、閾値となる階調までは輝度低減量に対応した階調変換を実施し、閾値となる階調を超えてからは、輝度低減量に対応した階調変換ではなく、予め定めた別の方式により階調変換を実施することが求められる。
【００１０】
こうした段階的な階調変換を実現する方法としては、例えば、ＬＵＴ（ルックアップテーブル）を用いて階調変換情報を予めメモリに格納しておき、このＬＵＴを参照することで、入力された階調に応じた１つの階調を出力するという方法が知られている（例えば、特許文献１又は２）。
【００１１】
特許文献１には、バックライトの輝度レベルを補正するための値等を格納した各種テーブルを有する携帯電話端末内の各構成が、これらのテーブルを参照することによりバックライトの輝度設定やガンマ補正を行うという技術内容が開示されている。
【００１２】
特許文献２では、バックライトの輝度を低減すると共に、階調変換を実施して液晶パネルの透過率を上げることで、バックライトの消費電力を削減するという手法が示されている。ここでは、予め設けた境界階調よりも小さい階調には、一定のゲイン（増幅率）を適用して階調変換を実施し、該境界階調よりも大きい階調には、その階調が大きいときほど小さくなるゲインを適用して階調変換を実施する、という技術内容が開示されている。
【００１３】
また、予め決められた数式に基づく階調変換を開示する技術文献として、例えば下記の特許文献３又は４が知られている。
【００１４】
特許文献３には、対象フレーム画像の入力階調データから出力階調データを生成するに際して行う補正演算を、前述したＬＵＴではなく演算式をもとに実行する表示装置が示されている。ここでは、異なるガンマ値に対応する複数の補正点データを算出すると共に、これを利用してガンマ補正を行うという技術内容が開示されている。
【００１５】
特許文献４には、バックライトの輝度を低減すると共に、階調変換によりパネルの透過率を上げて液晶ディスプレイのコントラスト視認性を保つという手法が示されている。この手法は、理想的なガンマ曲線（γ曲線）に対応づけた階調変換により補正を行うというものであり、具体的には、ピーク輝度と呼ばれる最大階調値又は階調の平均値によりバックライト輝度の低減率を決定して理想的なガンマ曲線に近づけるという技術内容である。
【先行技術文献】
【特許文献】
【００１６】
【特許文献１】特表２００８−１１７７８４号公報
【特許文献２】特表２００９−０８１６０２号公報
【特許文献３】特開２００７−３１００９７号公報
【特許文献４】特開２００５−２４９８９１号公報
【発明の概要】
【発明が解決しようとする課題】
【００１７】
しかしながら、上述したＣＡＢＣにおいては、輝度低減量と階調変換量を大きくしていくと、本来の入力された映像信号と変換処理後の映像信号との差分が顕著となるため、画質劣化を招くという問題がある。
【００１８】
また、輝度変化量が変わると、これに伴って階調変換量も変わるため、これまでのＣＡＢＣ制御回路においては、輝度変化量の分解能分のＬＵＴを予め装備しておく必要があることから、回路規模が膨大なものとなってしまうという不都合がある。併せて上記特許文献１及び２に開示された内容も、ＬＵＴの利用を前提とした技術であるため、同様に回路規模の増大といった問題がある。
【００１９】
特に、特許文献２に開示された表示装置では、境界階調よりも大きい階調が入力された場合にゲインを小さくするため、全体的に暗い画像の一部に高階調の画素領域が複数存在し、この高階調部分の各画素の階調が近接している場合には、これら各画素相互間の階調差が小さくなることから、階調潰れや画質違和感の発生といった不都合が生じる。
【００２０】
さらに、特許文献３に開示された階調変換演算式は、理想的なガンマ曲線から幾つかの特定ポイントのデータのみを拾うと共に、これを用いて近似するという構成であるため、誤差が大きくなり、特に低階調領域における画質劣化が目立つという不都合がある。
【００２１】
また、特許文献４に示された手法では、ゲインと称される階調変換量が輝度レベルに反比例する１つの式のみで統一され、しかもここでの開示は上記ゲインが輝度レベルに反比例することを示すグラフのみに留まり、具体的な階調変換数式等の記載はなく、すなわち、前述した階調潰れ等に起因する画質劣化といった問題を解決するための技術内容については何ら開示されていない。
【００２２】
（発明の目的）
本発明は、上記関連技術の有する不都合を改善するものであり、特に、映像信号の変換処理に際しての画質劣化の抑制及び低消費電力化を、小さな回路規模により有効に実現する映像信号処理回路，映像表示装置，映像信号処理方法，及びそのプログラムの提供を目的とする。
【課題を解決するための手段】
【００２３】
上記目的を達成するために、本発明にかかる映像信号処理回路では、外部入力された映像信号を分析すると共に、この分析の結果に基づいて、当該映像信号に画質調整用の変換処理を施した上でこれを映像表示部に向けて送出し、且つこの映像表示部を背面から照らすバックライトにかかる駆動制御信号を生成し送信する映像信号処理回路であって、前記映像信号の明暗の度合を数値化した特徴値を算出する特徴値算出部と、この特徴値と当該特徴値により特定される閾値とに基づいて前記映像信号の階調の変換処理を実行する階調変換処理部と、を有し、前記階調変換処理部は、前記特徴値と予め設定された変換係数とをもとに構成される閾値算定式に基づいて前記閾値を算定する階調変換閾値算定手段と、前記映像信号の内で前記閾値以上の階調である領域を対象として、線形的に増加する一次関数に基づく階調変換を施す階調変換手段と、を有するという構成を採っている。
【００２４】
また、本発明にかかる映像表示装置では、外部に向けて映像を表示する映像表示部と、この映像表示部を背面から照らすバックライトと、外部入力された映像信号を分析すると共に、この分析の結果に基づいて、当該映像信号に画質調整用の変換処理を施した上でこれを前記映像表示部に向けて送出し、且つこの映像表示部を背面から照らすバックライトにかかる駆動制御信号を生成し送信する映像信号処理回路と、を有するという構成を採っている。
【００２５】
さらに、本発明にかかる映像信号処理方法では、外部入力された映像信号を分析すると共に、この分析の結果に基づいて、当該映像信号に画質調整用の変換処理を施した上でこれを映像表示部に向けて送出する階調変換処理部と、この映像表示部を背面から照らすバックライトにかかる駆動制御信号を生成し送信する輝度制御回路部と、を有する映像信号処理回路にあって、前記映像信号の明暗の度合を数値化した特徴値を前記輝度制御回路部が算出し、この特徴値と予め設定された変換係数とをもとに構成される閾値算定式に基づいて前記階調の変換にかかる閾値を前記階調変換処理部が算定し、前記映像信号の階調が前記閾値以上であるか否かを前記階調変換処理部が判定し、前記閾値以上である旨判定した場合に、線形的に増加する一次関数に基づく階調変換を前記階調変換処理部が当該映像信号に施すことを特徴とする。
【００２６】
また、本発明にかかる映像信号処理プログラムでは、外部入力された映像信号を分析すると共に、この分析の結果に基づいて、当該映像信号に画質調整用の変換処理を施した上でこれを映像表示部に向けて送出し、且つこの映像表示部を背面から照らすバックライトにかかる駆動制御信号を生成し送信する映像信号処理回路にあって、前記映像信号の明暗の度合を数値化した特徴値を算出する特徴値算出手段、この特徴値と予め設定された変換係数とをもとに構成される閾値算定式に基づいて前記階調の変換にかかる閾値を算定する階調変換閾値算定手段、前記映像信号の階調が前記閾値以上であるか否かを判定する階調判定手段、この階調判定手段にて前記閾値以上である旨判定した場合に、線形的に増加する一次関数に基づく階調変換を当該映像信号に施す線形的階調変換手段、として、前記映像信号処理回路に予め設けられたコンピュータを機能させることを特徴とする。
【発明の効果】
【００２７】
本発明によれば、特に、映像信号の変換処理に際しての画質劣化の抑制及び低消費電力化を、小さな回路規模により有効に実現することができる映像信号処理回路，映像表示装置，映像信号処理方法，及びそのプログラムの提供が可能となる。
【図面の簡単な説明】
【００２８】
【図１】本発明の第１実施形態における映像表示装置を構成する階調変換処理回路部の具体的構成を示すブロック図である。
【図２】図１に開示した階調変換処理回路部を内包する映像信号処理回路を示すブロック図である。
【図３】図２に開示した映像信号処理回路を内包する本発明の第１実施形態における映像表示装置を示すブロック図である。
【図４】図３に開示した映像表示装置による階調変換方式を示すグラフである。
【図５】図２に開示した映像信号処理回路によるバックライトの輝度制御にかかる動作を示すフローチャートである。
【図６】図１に開示した階調変換処理回路部による動作を示すフローチャートである。
【図７】本発明の第２実施形態における映像表示装置を構成する階調変換処理回路部の具体的構成を示すブロック図である。
【図８】図７に開示した階調変換処理回路部を含む本発明の第２実施形態における映像表示装置による階調変換方式を示すグラフである。
【図９】図７に開示した階調変換処理回路部による動作を示すフローチャートである。
【発明を実施するための形態】
【００２９】
〔第１実施形態〕
本発明にかかる映像信号処理回路及び映像表示装置の第１実施形態を、図１乃至図５に基づいて説明する。
【００３０】
（基本的構成）
図３に示すように、外部に向けて映像を表示する液晶パネル等の映像表示部２０を備えた映像表示装置１００は、ＤＣ-ＤＣコンバータ等の電源生成回路１１，及び各種信号等の配列変換や水平垂直同期信号の生成・送信等といった映像表示部２０への映像表示にかかる信号処理を行う映像信号処理回路１２が装備された信号処理基板１０と、電源生成回路１１に向けて電源を供給する電源供給源１３と、映像信号処理回路１２に映像信号を供給する映像信号供給源１４と、映像信号処理回路１２から伝送される各処理後の映像信号を映像表示部２０に供給する表示部駆動ドライバ２１と、映像信号処理回路１２から送信される水平垂直同期信号を映像表示部２０に供給する表示部走査用ドライバ２２と、を有している。
【００３１】
加えて、映像信号処理回路１２は、表示部駆動ドライバ２１に対しても水平垂直同期信号を送信し、これを表示部駆動ドライバ２１が、上記各処理後の映像信号と共に映像表示部２０に供給するという構成を採っている。
【００３２】
電源生成回路１１は、映像信号処理回路１２や表示部駆動ドライバ２１・表示部走査用ドライバ２２といった各種ＩＣを駆動するための電源を生成するという構成を採っている。
すなわち、映像信号処理回路１２は、電源生成回路１１から供給される電源を使用して、外部入力された映像信号を表示部駆動ドライバ２１に伝送するためのデータ配列変換や、各ドライバを駆動させるための同期信号やＰＷＭ信号（Ｂ／Ｌ駆動用ＰＷＭ信号）等の生成・送信を行うように構成され、同様に、表示部駆動ドライバ２１及び表示部走査用ドライバ２２も、電源生成回路１１から供給される電源をもとに各々の処理内容を実行するように構成されている。
【００３３】
また、映像表示装置１００は、映像を映す際に必要な光源であるバックライト（Ｂ／Ｌ）３０と、映像信号処理回路１２から送信される駆動制御信号に基づいてバックライト３０の駆動（点灯等）にかかる制御を行うＢ／Ｌ駆動制御回路３１Ａを装備したＢ／Ｌ駆動制御用基板３１と、このＢ／Ｌ駆動制御回路３１Ａに電源を供給するＢ／Ｌ用電源供給源３２と、を有している。
【００３４】
すなわち、映像信号処理回路１２は、バックライト３０の輝度を有意に低減させるための駆動制御信号であるＰＷＭ信号を生成すると共にこれをＢ／Ｌ駆動制御回路３１Ａに送信し、Ｂ／Ｌ用電源供給源３２から供給された電源により駆動するＢ／Ｌ駆動制御回路３１Ａが、映像信号処理回路１２からのＰＷＭ信号に示された輝度量にてバックライト３０を点灯させるように構成されている。
【００３５】
本第１実施形態にかかる映像表示装置１００は、外部入力された映像信号を分析すると共に、この分析の結果に基づいて、当該映像信号に画質調整用の変換処理を施した上でこれを映像表示部２０に向けて送出し、且つこの映像表示部２０を背面から照らすバックライト３０にかかる駆動制御信号を生成し送信する映像信号処理回路１２に、特に技術的な特徴が存するため、続いては、図１及び図２を参照して、映像信号処理回路１２にかかる具体的構成内容を説明する。
【００３６】
図２に示すように、映像信号処理回路１２は、映像信号供給源１４から入力される映像信号の１フレーム中の特徴値及び1フレーム中の階調の最大値を算出する特徴値・最大値算出手段４１と、この特徴値・最大値算出手段４１にて算出した特徴値を用いてバックライト３０の輝度低減量を示すＰＷＭ信号を生成し送信する駆動制御信号生成処理手段４２と、この駆動制御信号生成処理手段４２から受信したＰＷＭ信号に従ってＢ／Ｌ駆動制御回路３１Ａが低減させる輝度（輝度低減量）を補完するためのガンマ変換等を実行する階調変換処理回路部５１と、を有している。
【００３７】
また、特徴値・最大値算出手段４１と駆動制御信号生成処理手段４２とを含む構成を輝度制御回路部４０と指称する。この輝度制御回路部４０では、特に、外部入力された映像信号に基づくバックライト３０の輝度制御にかかる各処理が実行されるように構成されている。
【００３８】
ここで、前述した特徴値（映像信号の特徴値）とは、映像信号供給源１４から入力された1フレーム分の映像信号が「全体的に明るい映像信号であるか・全体的に暗い映像信号であるか」という情報を少なくとも1つ以上の数値で表したものであり、例えば、映像信号の階調の平均値と最大値とを四則演算を用いて多項式化した数式等に基づいて算出される。
【００３９】
本第１実施形態における特徴値・最大値算出手段４１は、入力された１フレーム分の映像信号の全体的な明るさの度合を示す段階的な数値を特徴値として算出するように構成されている。すなわち、特徴値・最大値算出手段４１は、入力された映像信号における1フレーム分全体の明暗の度合を数値化した特徴値を算出するという構成を採っている。
【００４０】
この特徴値の大きさは、映像信号の階調の平均値や最大値等に基づく数式等に依拠して決まり、特徴値・最大値算出手段４１は、入力された映像信号が明るいほど大きな数値を算出するように構成されている。
【００４１】
また、特徴値・最大値算出手段４１に、入力された1フレーム分の映像信号が全体的に明るい映像信号であるか否かを判定する明暗判定機能（図示せず）を設けるという構成を採ってもよい。この場合、該明暗判定機能にて全体的に明るい旨又は暗い旨を判定した特徴値・最大値算出手段４１は、それぞれの判定結果に応じて、相対的に大きな値又は小さな値を上記特徴値として算出するように構成される。
【００４２】
全体的に明るい映像信号であることから大きな値として算出された特徴値を特徴値・最大値算出手段４１から取得した場合に、駆動制御信号生成処理手段４２は、画像（画質）の視認性を落とさないようにバックライト３０の輝度低減量を小さくするように制御するという構成を採っている。すなわち、かかる場合に駆動制御信号生成処理手段４２は、Ｂ／Ｌ駆動制御回路３１Ａに対してバックライト３０の輝度低減量を小さくする旨のＰＷＭ信号（駆動制御信号）を伝送するように構成されている。
【００４３】
一方で、全体的に暗い映像信号であることから小さな値として算出された特徴値を特徴値・最大値算出手段４１から取得した場合に、駆動制御信号生成処理手段４２は、バックライト３０の輝度低減量を大きくするように制御するという構成を採っている。すなわち、かかる場合に駆動制御信号生成処理手段４２は、Ｂ／Ｌ駆動制御回路３１Ａに対してバックライト３０の輝度低減量を大きくする旨のＰＷＭ信号（駆動制御信号）を伝送し、これにより、電力消費を抑えるという構成を採っている。
【００４４】
したがって、特徴値・最大値算出手段４１にて特徴値が算出されると、これを受けた駆動制御信号生成処理手段４２が、バックライト３０の輝度の低減量（輝度低減量）を当該特徴値に基づいて決定すると共に当該決定に則したバックライト３０の輝度量を示すＰＷＭ信号を伝送し、これを受けたＢ／Ｌ駆動制御回路３１Ａが、該ＰＷＭ信号に従ってバックライト３０の輝度を低減させる制御を行うように構成されている。
【００４５】
しかしながら、このようにしてバックライト３０の輝度を低減させる制御のみを行ったのでは、単純に映像信号全体を暗くすることに他ならないため、画像の視認性が低下してしまうという問題が生じる。
【００４６】
そこで、本第１実施形態では、駆動制御信号生成処理手段４２が上記により決定したバックライト３０の輝度低減量に対応づけて、階調変換処理回路部５１が映像信号の階調を本来の階調よりも上げることにより、パネルの透過率を上昇させる（調整する）という構成を採用した。
【００４７】
具体的には、特徴値・最大値算出手段４１によって算出された特徴値を、駆動制御信号生成処理手段４２と階調変換処理回路部５１との双方が共通に用いることにより、バックライト３０の輝度低減量と階調変換処理との対応づけを実現するという構成を採っている。また、階調変換処理回路部５１は、外部入力された映像信号の階調に応じて階調変換にかかるガンマ特性を変更するように構成されている。
【００４８】
ここで、低減させたバックライト３０の輝度を、映像信号の階調変換処理により補完する階調変換処理回路部５１の具体的構成内容を、図１を参照して説明する。
【００４９】
図１に示すように、特徴値・最大値算出手段４１にて算出した特徴値と当該特徴値により特定される閾値とに基づいて前記映像信号の階調の変換処理を実行する階調変換処理回路部５１は、上記特徴値と予め設定された変換係数とをもとに構成される閾値算定式に基づいて階調の変換にかかる閾値を算定する階調変換閾値算定手段６１と、この階調変換閾値算定手段６１にて算定した閾値に基づいて映像信号供給源１４から供給される映像信号の階調を変換する階調変換手段７１と、この階調変換手段７１にて階調変換が施された映像信号（変換後映像信号）に対して有意な円滑化処理（スムージング処理）を施す円滑化処理手段（スムージング処理回路）８１と、ガンマ変換後の階調の分解能を確保するための処理を必要に応じて行う多階調化手段（多階調化回路）９１と、を有している。
【００５０】
階調変換手段７１は、外部入力された映像信号の階調が、上記閾値以上である場合に、線形的に増加する一次関数に基づく階調変換を当該映像信号に施し、上記閾値よりも小さい場合、上記特徴値又はバックライト３０の輝度低減量をもとに構成された幾何級数的に増加する関数に基づく階調変換を当該映像信号に施すように構成されている。
【００５１】
すなわち、階調変換手段７１は、外部入力された映像信号の内で上記閾値以上の階調である領域を対象として、線形的に増加する一次関数に基づく階調変換を施し、外部入力された映像信号の内で上記閾値よりも小さい階調である領域を対象として、上記特徴値をもとに構成された幾何級数的に増加する関数に基づく階調変換を施す、という構成を採っている。
【００５２】
また、上記幾何級数的に増加する関数と線形的に増加する一次関数とは、上記閾値に位置する境界部にて連続するという構成を採っている。
【００５３】
より具体的に階調変換手段７１は、入力された映像信号の階調（階調値）と階調変換閾値算定手段６１にて算出した閾値とを比較することで、予め設定された複数の階調変換式の内から何れか１つを選定すると共に、この選定結果に従って映像信号を送信する階調変換式選定機能７１Ａを有し、本第１実施形態では、上記階調変換式として、後述する第１階調変換式（下記式９）と第２階調変換式（下記式１１）とを採用した。
【００５４】
また、階調変換手段７１は、階調変換式選定機能７１Ａから映像信号を受け取って、第１階調変換式（輝度低減量を補完するための係数を含む階調変換式）に基づく階調変換（輝度低減量に応じた階調変換）を行う第１の階調変換機能７１Ｂと、第２階調変換式に基づく階調変換を行う第２の階調変換機能７１Ｃと、を有している。
【００５５】
ここで、階調変換閾値算定手段６１は、特徴値・最大値算出手段４１から取得した特徴値及び最大値を、階調変換手段７１の階調変換式選定機能７１Ａに受け渡すように構成され、この階調変換式選定機能７１Ａは、上記映像信号と共に、第１の階調変換機能７１Ｂに対しては該特徴値を、第２の階調変換機能７１Ｃに対しては該最大値を、それぞれ送信するという構成を採っている。
また、階調変換閾値算定手段６１は、第２の階調変換機能７１Ｃに対して上記により算定した閾値を送信するように構成されている。
【００５６】
すなわち、階調変換手段７１は、階調変換式選定機能７１Ａにて階調変換に用いる階調変換式を選定し、第１の階調変換機能７１Ｂ又は第２の階調変換機能７１Ｃにて、実際に入力された映像信号の階調を変換するように構成されている。
【００５７】
バックライト３０の輝度を落とした分を階調変換により補完する場合、本来は、バックライト３０の輝度低減量（例えば２５％）に相当する補完を、全ての入力された映像信号の階調（以下、入力階調と指称する）に対して、１つの階調変換式等に基づく一律な階調変換を施すことにより実現することが望ましい。
【００５８】
しかしながら、例えば、画面の一部にでも高階調領域である２５４階調や２５５階調が入力されている場合に、こうした一律な階調変換を実施したならば、２５４階調については２５５階調に変換される余地があるものの、２５５階調については、それ以上の階調値が存在しないため階調変換が不可能であることから、２５５階調のまま維持されることとなる。
すなわち、このような高階調領域を考慮せずに一律な階調変換を行ったのでは、入力される階調がある階調以上から全て同じ階調になってしまうという、いわゆる階調潰れが生じてしまうため、著しい画質劣化を招くこととなる。
【００５９】
そこで、本第１実施形態では、上述したように、バックライト３０の輝度低減量を、上記２つの階調変換式に基づく階調変換により階調変換手段７１が補完するという構成を採用した。すなわち、階調変換手段７１にて行う階調変換に対してある閾値を設けると共に、入力階調が該閾値よりも小さい場合には、輝度低減量に応じた階調変換による補完を実施し、入力階調が該閾値を超えた場合には、階調潰れ等を回避するために、上記補完とは異なる別の階調変換方法を用いた階調変換を実施するという構成を採用した。
【００６０】
この階調潰れ等を回避するために用いる階調変換方法として、本第１実施形態では、最大表現階調(例えば８bit入力の場合は２５５)と階調変換閾値算定手段６１が算定した閾値とを結んだ直線又は曲線に基づく階調変換を行うという方法を採り、これにより、階調変換後において、閾値から最大階調までの範囲にある階調が同一階調とならないという階調変換処理（元々の入力階調が同一階調である場合を除く）が可能となった。
【００６１】
円滑化処理手段８１は、階調変換閾値算定手段６１が算定した閾値の近傍に予め設定された円滑化領域に外部入力された映像信号の階調が属するか否かを判定すると共に、当該円滑化領域に属する旨判定した場合に、上記閾値と入力階調との差分に基づいて円滑化係数を算出してこれを当該映像信号の階調から減算し、当該円滑化領域に属しない旨判定した場合に、当該映像信号をそのまま出力するように構成されている。
【００６２】
（具体的構成）
上述した通り、本第１実施形態では、特に、映像信号の特徴値に基づいて決定されたバックライト３０の輝度低減量を階調変換等により補完する階調変換処理回路部５１が有効に機能するため、これにより、低消費電力化を図ると共に画質劣化等を抑制することが可能となる。
【００６３】
そこで、以下では、上記階調変換等にかかる階調変換処理回路部５１のより詳細な構成内容を、具体的な数値等を例示して説明する。ここでは、入力される映像信号の階調表現数（階調数）が８bit(階調値は０〜２５５の値)である場合を想定する。
【００６４】
バックライト３０の輝度低減量は、入力された映像信号における、ある1フレーム中の特徴値(以下Rankとも指称する)と、ある１フレーム中に表示可能な最大階調数（以下ｆ(n)とも指称する）とに基づいて、駆動制御信号生成処理手段４２が決定するように構成されている。
本第１実施形態では、低減後の輝度量を示すＰＷＭ(ＰＷＭ値)を、駆動制御信号生成処理手段４２が下記式１に基づいて生成するという構成を採っている。
【００６５】
〔数１〕PWM = ( Rank / f(n) )＾2.2  …  (１)
【００６６】
Rankとは、前述の通り、映像信号の1フレーム中における特徴値(８bitであれば０〜２５５の値)のことであり、ｆ(n)は１フレーム中に表示可能な最大階調数（2＾n - 1：nは階調表現数）を表す（f(n) = 2＾n - 1）。以下においても同様とする。
本第１実施形態のように、予め設定された階調表現数が８bit（n=8）の場合では、最大階調数f(8) = 255となる。
【００６７】
ここで、上記式１により直接的に算出されるＰＷＭ(ＰＷＭ値)とは、バックライト３０の輝度量の割合を示す値（％）である。例えば、Rank = 224であればＰＷＭは７５％と決まるため、この時のバックライト３０の輝度低減量は２５％となる。
すなわち、輝度量を示すＰＷＭと輝度低減量との間には「輝度低減量（％）= 100 - ＰＷＭ」なる関係が成立するため、ＰＷＭ信号は、輝度低減量を示す駆動制御信号であるともいえる。
【００６８】
次に、階調変換閾値算定手段６１による閾値の算出にかかる具体的構成内容を説明する。
まず、前述した階調の変換にかかる閾値をXaとし、閾値（Xa）の階調における相対輝度値をαとした場合、この係数αは下記式２で表すことができ、この式２に上記式１を代入すると下記式３のように表せる。さらに、この式３を解くことで、閾値（Xa）を算出するための下記式４（閾値算定式）が得られる。
【００６９】
〔数２〕α =｛( Xa / f(n) )＾2.2 ｝× ( 1 / PWM )  …  (２)
【００７０】
〔数３〕α =｛( Xa / f(n) )＾2.2 ｝× ( f(n) / Rank )＾2.2 }  …  (３)
【００７１】
〔数４〕Xa =α＾( 1 / 2.2 ) × Rank  …  (４)
【００７２】
本第一実施形態では、この式４に示す係数αが、前述した変換係数として予め設定されるように構成されている。すなわち、階調変換閾値算定手段６１は、予め設定された変換係数（α）と特徴値・最大値算出手段４１から取得した特徴値（Rank）とをもとに上記式４に基づいて、階調の変換にかかる閾値（Xa）を算出するように構成されている。
【００７３】
続いて、本第１実施形態の階調変換方法にかかるグラフを例示した図４を参照して、階調変換手段７１が行う階調変換処理にかかる構成を具体的に説明する。
【００７４】
ここに示す各グラフは、横軸にとった入力階調と縦軸にとった映像表示部２０の相対輝度（最大輝度を１としたときの相対輝度）との関係を示すものであり、破線で示した曲線は、γ=2.2のときの階調特性を示すガンマ曲線である。
これに対して、本第１実施形態の階調変換方式にかかる入力階調と相対輝度との関係は、原点Ｏから閾値（Xa）までの領域（第１階調領域）に示す曲線と、閾値（Xa）から最大階調数までの領域（第２階調領域）に示す直線とで表すことができる。この図４は、ＰＷＭ＝７５％の時の階調変換方式を例示したものである。
【００７５】
また、入力階調が閾値（Xa）よりも小さい場合（Xa＞入力階調）に階調変換手段７１が用いる第１階調変換式と、入力階調が閾値（Xa）以上の場合（Xa ≦ 入力階調）に階調変換手段７１が用いる第２階調変換式とは、それぞれ下記式５と式６とで表すことができる。この式６におけるMAXとは、映像信号のある1フレーム中における階調の最大値のことある。
【００７６】
〔数５〕相対輝度 = ( 1 / PWM ) × ( 入力階調 / f(n) )＾2.2  …  (５)
【００７７】
〔数６〕相対輝度 =｛( 1 - α ) / ( MAX - Xa )｝× ( 入力階調 - MAX ) + 1  …  (６)
【００７８】
上記式５（第１階調変換式）は、入力階調と階調表現数（ｎ）とに依拠した値に対してＰＷＭの逆数（輝度低減量を補完するための係数）を積算するという構成を採った幾何級数的に増加する関数であり、すなわち、第１の階調変換機能７１Ｂが第１階調変換式に基づいて行う階調変換により、輝度低減量に相当する分の補完を実現することを意味する。
【００７９】
また、上記式６（第２階調変換式）は、高階調側の入力階調を潰さないために（高階調側で階調潰れが起こらないために）、映像信号の１フレーム中における最大階調（最大階調数：ここでは２５５）から閾値（Xa）までを線形的に繋いだ構成を採っている。
すなわち、線形的に増加する一次関数を示す第２階調変換式（閾値と最大値とをもとに構成された階調変換式）は、閾値（Xa）の階調から予め設定された階調表現数によって定まる最大階調までを真っ直ぐに結んだ直線を表すように構成されている。
【００８０】
さらに、各階調変換式は、各々の境界に位置する端部（境界部）において連続するという構成を採っている。すなわち、これらを示したグラフは、図４に示す通り連続的に接続されており、階調抜けがないように構成されている。この連続したグラフ全体を、便宜上、階調変換曲線と指称する。
【００８１】
このように、映像信号の１フレーム中における階調に応じて２つの階調変換式を使い分けるという構成を採用したため、画質劣化を最小限に抑えると共に、バックライト３０の輝度を有意に低減させることが可能となる。
【００８２】
バックライト３０の輝度の低減処理及びこれに対応づけて行う階調変換の原理（輝度制御の原理）は前述の通りである。しかしながら、相対輝度を介して計算を実施する上記式５及び式６に基づいて回路を構成した場合、その回路の規模が大きくなってしまう。
そこで、入力階調に対して出力階調（出力する映像信号の階調）を直接得るための階調変換式を、前述の原理に基づいて導出する。
【００８３】
相対輝度（相対輝度値）は、出力階調及び上記ｆ(n)を用いることで下記式７のように表すことができ、これを適用すると、上記式５は下記式８のように表すことができる。
【００８４】
〔数７〕相対輝度 = ( 出力階調 / f(n) )＾2.2  …  (７)
【００８５】
〔数８〕( 出力階調 / f(n) )＾2.2 = ( 1 / PWM ) × ( 入力階調 / f (n) )＾2.2  …  (８)
【００８６】
さらに、上記式１を用いてこの式８を整理することで、第１階調変換式（Xa＞入力階調）を、上記式５に代えて下記式９のように表すことができる。
【００８７】
〔数９〕出力階調 = ( f(n) / Rank ) × 入力階調  …  (９)
【００８８】
第２階調変換式についての相対輝度も、上記同様に「相対輝度 = ( 出力階調 / MAX )＾2.2」なる数式で表すことができるが、これと上記式６とを組み合わせた場合、左辺に相当する「( 出力階調 / MAX )＾2.2」のみが指数関数となるため、計算が煩雑となる。
【００８９】
そこで、本第１実施形態では上記相対輝度を、「( 出力階調 / MAX ) ^ 2.2」ではなく、線形近似式を用いた下記式１０により表した。
ここで、X2.2とは、γ=2.2のガンマ曲線上において相対輝度がαの時の階調値（相対輝度αに対応する階調値）である。
【００９０】
〔数１０〕相対輝度 =｛( 1 - α ) / (f(n) - X2.2 )｝ × ( 出力階調 - f(n) ) + 1  …  (１０)
【００９１】
さらに、上記式６と式１０とを用いて上記同様に整理することで、第２階調変換式（Xa≦入力階調）を、式６に代えて下記式１１のように表すことができる。
【００９２】
〔数１１〕出力階調 = f(n) +｛( f(n) - X2.2 ) / ( MAX - Xa )｝ × ( 入力階調 - MAX )  …  (１１)
【００９３】
以上の内容をまとめると、階調変換閾値算定手段６１は、階調変換にかかる閾値の算定処理を上記式４に基づいて実行し、階調変換手段７１は、「Xa＞入力階調」の条件を具備する場合に上記式９に基づく階調変換を実行し、「Xa≦入力階調」の条件を具備する場合に上記式１１（閾値と最大値とをもとに構成された階調変換式）に基づく階調変換を実行するように構成されている。
【００９４】
この式９及び式１１は何れも、指数関数を使わない簡単な数式で構成されている。したがって、これらの数式に基づいて階調変換手段７１にかかる回路を構成した本第１実施形態では、極めて小規模な回路構成によって有意な階調変換処理を実現することができる。
【００９５】
また、αの値に関しては、後述する画質確認の結果、α＝０．６が最適な値であることが分かった。
ここで、α＝０．６と決めて固定値とした場合、上記式４は近似的に下記式１２で表すことができ、これは下記式１３のように書き換えることもできる。
【００９６】
〔数１２〕Xa = ( 203 / 256 ) × Rank  …  (１２)
【００９７】
〔数１３〕Xa = ( 203 × Rank ) / 256  …  (１３)
【００９８】
この式１３（閾値算定式）によると、閾値（Xa）の値は、Rankと203の乗算1回と、2のn乗(256=2^8)による除算1回とによって生成することができる。また、上記式１３に基づいて実際に回路を作成する場合、乗算器は１つで足り、２のn乗による除算については、bitシフトが適用できるため実質除算器は不要となる。
したがって、本第１実施形態では、階調変換閾値算定手段６１を、１個の乗算器と1個のレジスタ（シフトレジスタ）とによって構成することができ、すなわち、極めて小規模な回路構成によって有意な閾値（Xa）を算定することができる。
【００９９】
ここで、上記式１乃至式１３及びこれら各式を導出するに至った過程等を詳述する。
まず、ＰＷＭ値を求める式である上記式１では、特徴値（画像特徴値：Rank）を最大階調数（f(n)）で割った値を輝度情報に基づいて2.2乗することにより、ＰＷＭ値を算出するように構成されている。
【０１００】
次に、上記式４について説明する。
階調変換の実施により輝度を増加させる場合、全階調の輝度倍率（変換倍率）を一律にすると、ある階調以上の領域において階調潰れが発生することとなる(例えば、２５５階調に１より大きい輝度倍率をかけると、２５５より大きな数値となり最大階調数を超えてしまうため、階調表現ができなくなるという問題が生じる)。
【０１０１】
すなわち、ある特定の地点までは一律の輝度倍率で階調変換を行っても問題はないが、その地点を超えた後においては、階調潰れを有効に回避するために、輝度倍率を減少させる方向へと導くための構成が必要となる。
【０１０２】
したがって、本第１実施形態では、輝度倍率を減少させるための基準となる境界点を決めると共に、この境界点までは一律の輝度倍率による階調変換（輝度低減量に応じた階調変換）を行い、それ以降は、上記輝度低減量に応じた階調変換よりも輝度倍率を減少させる関数に基づく階調変換を行うという構成を採用することとした。
【０１０３】
上記基準となる境界点（ある特定の地点）が、上記式４に基づいて階調変換閾値算定手段６１が算定する閾値（Xa）のことであり、この閾値（Xa）は、特徴値（Rank）と係数α（閾値の地点に相当する相対輝度値）とにより導き出されるという構成を採っている。
【０１０４】
続いて、上記式５は、外部入力された映像信号の階調が閾値（Xa）より小さい場合に、輝度倍率が一律になるように構成されたものである。
この式５における「１／ＰＷＭ」の値がその一律の輝度倍率となる。バックライト３０の輝度はＰＷＭ値に基づいて低減されることから、ＰＷＭ値の逆数を輝度倍率とした。例えば、ＰＷＭ＝０．７５であれば、バックライト３０の輝度は１００％に対して７５％の値となる（この場合の輝度低減量は２５％）。すなわち、この逆数である１．３３が輝度倍率となる。
【０１０５】
一方で、閾値（Xa）を超えた場合においては、閾値（Xa）から最大階調数（ここでは２５５）までを線形に繋いだ構成に基づく上記式６を採用した。この式６は、図４に示すように、点（MAX，１）を通り、かつ傾きが「( 1 - α ) / ( MAX - Xa )」の1次関数を表す。
【０１０６】
このように、上記式６が１次関数(線形)となるように構成した理由としては、以下の２つが挙げられる。
１つは、式を構成する計算を極力簡単なものとすることで、回路規模をより小さくするという目的を達成するためであり、もう１つは、閾値（Xa）の階調よりも高階調側にある画素についての階調潰れを極力なくすことで、画質違和感を発生させないようにするためである。
【０１０７】
ここで、後者の理由についてより詳しく説明する。
例えば全体的に暗い画像においては、上述したように映像信号の特徴値が小さくなるため、閾値（Xa）も小さな値となるが(式４を参照)、部分的には高階調領域が存在する可能性もある。この高階調領域が同じ階調ではなく僅かな階調差を持っているような場合でも、これを正確に階調表現し、階調潰れとならないようにするために、本第１実施形態では１次関数となる上記式６を採用した。
【０１０８】
仮に、こうした高階調領域における階調の差が微小である場合には、大きな曲率のある曲線等を採用して階調変換を行ったとしてもさほどの問題は生じない。しかし、実際の映像信号は多種多様であるため、その階調値の差も大小様々である。このため、かかる事情を考慮せずに大きな曲率のある曲線等に基づく階調変換を実行してしまうと、必ず傾きが緩やかになる部分が発生し、その部分において階調潰れが起こりやすくなるという問題が生じる。
【０１０９】
すなわち、本第１実施形態における映像表示装置１００は、階調変換手段７１が用いる第２階調変換式に一次関数を採用したことにより、全体的に暗い画像内に僅かな階調差を持つ高階調領域が存在するような場合でも、これをより正確に階調変換することができる。
【０１１０】
ここで、第１階調変換式又は第２階調変換式を選定する際に階調変換式選定機能７１Ａが用いる閾値（Xa）の大きさは、有意な階調変換を行う上で極めて重要な要素である。すなわち、閾値（Xa）を高階調側にもって行き過ぎると階調変換後の階調潰れが目立ってしまい、閾値（Xa）を低階調側にもって行き過ぎると消費電力の低減効果が小さくなってしまうという不都合が生じ得る。
【０１１１】
この閾値（Xa）は、係数αを決定することにより求められることを踏まえると（式４を参照）、この係数αには、画質劣化の抑制と消費電力の低減効果とのバランスを考慮した最適な値を予め設定しておく必要がある。
【０１１２】
そこで、係数αの最適値を選定するために、画像の中の明るい部分(高階調部分)に着目して、階調変換を実施する前の画像の明るい部分と階調変換を実施した後の画像の明るい部分とを見比べることにより、画質違和感(階調潰れ)の極力無いポイントを模索し、これにより得た上記最適値を本第１実施形態における係数αの値として採用した。この係数αの最適値は、前述した通り０．６（α＝０．６）であった。
【０１１３】
上記式７乃至式１１は、前述した通り、上記式５及び式６における相対輝度値を階調値に改めて数式化したものである。
【０１１４】
上記式１２及び式１３は、α＝０．６とした場合に、上記式４が「Xa = 0.6＾(1/2.2) × Rank」すなわち「Xa = 0.796 × Rank」となることをもとに導出したものである。
【０１１５】
この式１３の導出は、画質確認の結果をもとに、係数αの最適値である０．６を採用して行ったが、αの値を任意に決めた場合においても、閾値（Xa）を算出するための数式は、上記式１３と同様の形に改めることができる。
すなわち、下記式１４にて定義されたβを用いることで下記式１５のように表すことができる。この式１４によるβの算出に際して生じた小数部分は切り捨てるものとする。
【０１１６】
〔数１４〕β = 256 × α＾( 1 / 2.2 )  …  (１４)
【０１１７】
〔数１５〕Xa = ( β × Rank ) / 256  …  (１５)
【０１１８】
したがって、本第１実施形態において、係数αの値を任意に決めるという構成を採る場合には、階調変換閾値算定手段６１を、上記式１４により整数としてβを算出すると共に、これを上記式１５に適用して閾値（Xa）を算定するように構成する。
【０１１９】
この式１４及び式１５を用いれば、係数αとして如何なる値を設定したとしても、閾値（Xa）の値を、特徴値（Rank）と整数（β）との乗算1回、及び２のn乗(256=2^8)による除算1回によって生成することができるため、実際に、乗算器1個とレジスタ1個とを有する簡易な構成の回路によって閾値（Xa）の値を有意に算出することが可能となる。
以上の内容が、上記式１乃至式１３，式１４及び式１５の導出に至った過程等である。
【０１２０】
本第１実施形態において、階調変換処理回路部５１の回路構成にかかる式１３，式９，及び式１１は、計算が煩雑となり回路規模が大きくなる指数関数を含むことなく、全て加算・減算・乗算・除算の四則演算のみで構成されている。
また、数式中の各パラメータは、予め決められた固定値、又は入力される映像信号にかかる情報のみから生成された数値である。
【０１２１】
したがって、式１３に基づく簡易な回路を採用した階調変換閾値算定手段６１と、２つの簡易な回路にて構成できる階調変換式（式９及び式１１）を採用した階調変換手段７１と、を有する階調変換処理回路部５１によれば、極めて小規模な回路構成によって画質劣化を極力抑えた階調変換を実現することが可能となる。
【０１２２】
次に、円滑化処理手段８１が行うスムージング処理の原理及びその必要性について説明する。
【０１２３】
第１階調変換式（式９）と第２階調変換式（式１１）とが繋がる部分は、これら各式の性質の違いに起因して変曲点となる。
ここでの変曲点とは、ひとつながりのグラフ全体をみた場合に、その前後においてグラフの性質が変化する点をいう。
【０１２４】
本第１実施形態では、図４のグラフに示す通り、閾値（Xa）に位置する変曲点Ｐ（Xa，α）において、第１階調変換式にかかる曲線の接線の傾きと第２階調変換式にかかる直線の傾きとが異なるため、変曲点Ｐの周辺部分が、若干ではあるが上方に盛り上がった構成となっている。すなわち、この変曲点Ｐの周辺部分では、第１階調領域における曲線及び第２階調領域における直線の概形に比して円滑さが損なわれている。
【０１２５】
こうした変曲点が存在すると、例えばグレイスケール表示(縦方向又は横方向に０階調から始まり１階調づつ増えて最大階調まで表示するような画面表示)をした場合などに、この変曲点の階調近傍の階調差が顕著に見え(例えば境界筋のように見える)、すなわち、画質劣化の原因となり得る。
【０１２６】
かかる画質劣化を未然に防ぐため、本第１実施形態では、第１階調変換式と第２階調変換式とがより円滑に接続され、上記変曲点の周辺部分をより滑らかにするための構成として、図１に示す通り、階調変換処理回路部５１内に円滑化処理手段８１を設けた。
【０１２７】
ここでのスムージング処理は、入力階調が閾値（Xa）の近傍にある場合に、上記のように起こり得る画質劣化を抑制するための処理である。ここでは、閾値（Xa）から±Ａ階調以内の範囲（Ａは任意の係数：減算の強度と減算領域に相応する係数）をXaの近傍（円滑化領域）として説明する。
【０１２８】
すなわち、入力階調が「Xa - A ≦ 入力階調 ≦ Xa + A」という円滑化領域にあてはまる場合に、円滑化処理手段８１が、変曲点近傍を円滑化するためのスムージング処理を行うように構成され、このスムージング処理は、「入力階調の２乗を有する係数」と「MAXとRankとの差分の係数」とを併せ持った係数（以下、円滑化係数と指称する）を入力階調から減算する、という計算方法に基づくという構成を採っている。
【０１２９】
円滑化係数（スムージング係数）は、下記式１６に基づいて算出することができる。
したがって、映像信号の入力階調が、「Xa - A ≦ 入力階調 ≦ Xa + A 」という円滑化領域に属する場合、又は「入力階調 ＜ Xa - A  又は Xa + A ＜ 入力階調」という条件に該当する場合のスムージング処理にかかる具体的な数式は、それぞれ下記式１７又は式１８のように表すことができる。
【０１３０】
〔数１６〕円滑化係数 =｛( A - | Xa -入力階調 | )＾2 ｝ × ｛( MAX - Rank ) / ( 2＾n )｝  …  (１６)
【０１３１】
前述の通り、Xaは階調変換にかかる閾値，MAXは映像信号の1フレーム中における階調の最大値，Rankは映像信号の1フレーム中における特徴値，Ａは任意の係数(減算の強度と減算領域に相応する係数)，ｎは任意の係数(８bitの場合の推奨値は８)である。
【０１３２】
〔数１７〕出力階調 = 入力階調 - 円滑化係数  …  (１７)
【０１３３】
〔数１８〕出力階調 = 入力階調  …  (１８)
【０１３４】
例えば、入力階調がXa±ｂ（ｂは「ｂ≦A」を満たす正の数）であった場合に、上記式１６の係数である「( A - | Xa -入力階調 | )＾2」は「( A - ｂ )＾2」となる。したがって、ｂの値が大きくなれば「( A - ｂ )＾2」が小さくなり、ｂの値が小さくなれば「( A - ｂ )＾2」が大きくなるといえる。
【０１３５】
すなわち、円滑化係数の構成に、ここでの「入力階調の２乗を有する係数」である「( A - | Xa -入力階調 | )＾2」を含むことにより、Xa - A又はXa + Aの階調近くでの減算量を小さくし、Xaに近づくにつれて減算量を大きくするという処理が可能となるため、これにより、変曲点近傍を滑らかにすることができる。
【０１３６】
また、最大値（MAX）と特徴値（Rank）との差分である「MAX - Rank」を係数に含むことで、この差分が小さい場合には減算量を小さくし、この差分が大きい場合には減算量を大きくするという処理が実現可能となる。
【０１３７】
最大値（MAX）と特徴値（Rank）との差分が小さいという状況としては、例えば１フレーム中のほとんどの画素が同じ階調である場合、すなわち、ベタ画面(ラスタ画面)のような表示の場合が想定できる。かかる状況下では、そもそもガンマ曲線（γカーブ）の変曲点自体が存在しなくなることからスムージング処理を行う必要がなく、このため、上記のように減算量を小さくしたとしても画質劣化の問題は生じない。
【０１３８】
このスムージング処理は、階調変換後の処理として組み込むことができ、本第１実施形態では、図1に示す通り、階調変換手段７１から取得した階調変換後の映像信号に対して円滑化処理手段８１がこれを施すように構成されている。
【０１３９】
ここで、上記式１６乃至式１８の導出に至った過程等を詳しく説明する。
【０１４０】
上述した通り、スムージング処理は、閾値（Xa）に存する変曲点の近傍を滑らかにすることを目的としたものであり、かかる目的を達成するためには、入力階調に対して、閾値（Xa）に近い位置では減算値を大きくし、閾値（Xa）から離れるに従って徐々に減算値を小さくしていくという処理を行う必要がある。
【０１４１】
閾値（Xa）からの距離が近いほど減算値を大きくし、閾値（Xa）からの距離が遠いほど減算値を小さくするという処理は、閾値（Xa）からの距離を算出すると共に、この算出した距離を一定値から減算して得た値を２乗するという演算式を用いることで実現することができる。
【０１４２】
したがって、本第１実施形態では、入力階調が、上記一定値として任意の係数Aを用いた「Xa - A ≦ 入力階調 ≦ Xa + A 」という条件式で表される円滑化領域に属する場合に、閾値（Xa）と入力階調との差分である| Xa-入力階調 |を算出し、これを一定値である係数Aから減算して得た値「A - | Xa -入力階調 |」を２乗するという構成を上記式１６に組み込んだ。
【０１４３】
また、特徴値（Rank）が最大値（MAX）に近い場合にあっては、輝度倍率が低いため変曲点が気にならないことから、減算値自体を小さくしても不都合が生じないため、上記式１６を、前述した「( A - | Xa -入力階調 | ) ^ 2」による算出値と(MAX-Rank)の値とを掛け合わせる構成とした。
【０１４４】
前述の通り、上記式１７の減算値は、上記式１６によって決まる円滑化係数である。すなわち、この式１７は、実際に入力階調から円滑化係数を減算する処理を示す演算式であり、これを用いることで、入力階調と閾値（Xa）との距離が近い場合に、変曲点の近傍を滑らかにすることが可能となる。
【０１４５】
一方で、入力階調と閾値（Xa）との距離が遠ければ、変曲点近傍への影響はなく、減算処理を行う必要がない。このため、「入力階調 ＜ Xa - A 又は Xa + A ＜ 入力階調」なる条件式を満たす場合のスムージング処理を示す上記式１８は、階調変換手段７１から取得した映像信号を円滑化処理手段８１がそのまま出力するという処理を構成する。
【０１４６】
以上が、上記式１６乃至式１８を導出するに至った過程であり、これらの各式は、「Xa - A ≦ 入力階調 ≦ Xa + A 」という条件式を満たすか否かの判定、及びスムージング処理にかかる減算処理に際して円滑化処理手段８１が用いるように構成されている。
【０１４７】
すなわち、円滑化処理手段８１は、第１の階調変換機能７１Ｂ又は第２の階調変換機能７１Ｃの何れか一方から受け取った階調変換後の映像信号の階調（変換後階調）が、予め設定された円滑化領域に属するか否かを判定する閾値近傍判定機能（図示せず）を有すると共に、この閾値近傍判定機能にて該円滑化領域に属する旨判定した場合に、式１６及び式１７に基づいて映像信号のスムージング処理を実行するように構成されている。
【０１４８】
ここで、上記式１６において、nは固定値であり、かつ２乗は乗算に置き換えられることから、上記式１６乃至式１８は、四則演算のみで構成されているといえる。また、この式１６中の各パラメータは、予め決められた固定値、又は入力される映像信号の情報のみから生成されたものである。すなわち、これら各式に基づいて構成された円滑化処理手段８１は、非常に簡易な回路構成を採っている。
【０１４９】
この円滑化処理手段８１を階調変換処理回路部５１の構成に含むことで、相互に階調の異なる２つの階調変換式がつなぎ合わされる部分に変曲点が生じることを防止でき、このため、画質をより向上させることが可能となる。
なお、式１６乃至１８における入力階調とは、円滑化処理手段８１に入力される映像信号にかかる入力階調であり、すなわち、階調変換手段７１にて階調変換が施された後の映像信号にかかる入力階調（変換後入力階調）を示す。
【０１５０】
ところで、実際の階調変換を想定すると、ガンマ変換後の階調の分解能を確保するためにＦＲＣ(Frame rate control)等を用いた多階調化技術が必要となることもある。このＦＲＣとは、液晶ディスプレイ等のフレームレート（frame rate）を高速で切り替えることにより、人間の目の残像効果を利用して擬似的に発色数を増やすという技術である。
【０１５１】
本第１実施形態では、かかる事情に鑑みて、階調変換処理回路部５１の構成中に、上記ＦＲＣにかかる多階調化処理を行う多階調化手段（多階調化回路）９１を採用した。
【０１５２】
例えば、ｍbit（ｍは任意の自然数）のＦＲＣをかける場合には、出力階調を2＾ｍ倍した分解能を持っておく必要があるが、これは、必要となる分解能に応じて設定した係数を、階調変換にかかる数式中に予め組み込んでおくことで実現可能である。
仮に、２bitＦＲＣを用いることを想定した場合には、上記式９や式１１の右辺に４の係数をかけることで分解能を確保することができる。
なお、このようにしても、上記各数式の原理自体が変わるものではないため、階調変換処理の精度に影響は及ばない。
【０１５３】
（動作説明）
図１乃至図３に開示した映像信号処理回路１２及び映像表示装置１００にかかる動作を、図５及び図６に示すフローチャートに基づいて説明する。
【０１５４】
ここでは、外部入力された映像信号に応じてバックライト３０の輝度を制御するために機能する各回路ブロックにかかる動作を、図５を参照して説明する。
【０１５５】
映像表示部２０に表示させるための映像信号が映像信号供給源１４から入力されると（図５：Ｓ５０１）、これを取得した特徴値・最大値算出手段４１が、映像信号の1フレーム中における明暗の度合を数値化した特徴値(Rank)を、1フレーム中における映像信号全体の明るさに基づいて算出する（図５：Ｓ５０２）。
【０１５６】
次いで、この特徴値を受け取った駆動制御信号生成処理手段４２が、上記式１に基づいて該特徴値に応じたＰＷＭ信号を生成すると共に、これをＢ／Ｌ駆動制御用基板３１に設けられたＢ／Ｌ駆動制御回路３１Ａに送信する（図５：Ｓ５０３）。
【０１５７】
これを受けたＢ／Ｌ駆動制御回路３１Ａは、このＰＷＭ信号に従ってバックライト３０を駆動させる。すなわち、Ｂ／Ｌ駆動制御回路３１Ａは、該ＰＷＭ信号に示された輝度量に基づいてバックライト３０の点灯等にかかる制御を実行する（図５：Ｓ５０４）。
【０１５８】
次に、バックライト３０の輝度低減量を補完するための階調変換処理等にかかる各回路ブロックの動作を、図６を参照して説明する。
【０１５９】
映像信号供給源１４から映像信号が入力されると（図６：Ｓ６０１）、これを取得した特徴値・最大値算出手段４１が、1フレーム中における映像信号全体の明るさに基づいて、映像信号の1フレーム中における特徴値(Rank)及び最大値（MAX）を算出する（図６：Ｓ６０２）。
【０１６０】
次いで、この特徴値及び最大値を取得した階調変換閾値算定手段６１は、該特徴値をもとに上記式４又は式１３等に基づいて階調の変換にかかる閾値（Xa）を算定する（図６：Ｓ６０３）。
【０１６１】
この閾値（Xa）を受け取った階調変換手段７１は階調変換式選定機能７１Ａにて、該閾値（Xa）と入力された映像信号の階調の値とを比較することにより、第１階調変換式（上記式９）又は第２階調変換式（上記式１１）の何れかを選定する（図６：Ｓ６０４）。
【０１６２】
本第１実施形態において階調変換式選定機能７１Ａは、閾値（Xa）が「Xa＞入力階調」の条件を満たすか否かを判定する（図６：Ｓ６０４）。
【０１６３】
ここで、上記条件を満たす旨判定した場合に階調変換式選定機能７１Ａは、上記式９を選定すると共に、第１の階調変換機能７１Ｂに対して特徴値（Rank）を添えた映像信号（変換指令信号）を送信し（図６：Ｓ６０４／はい）、これに応じて第１の階調変換機能７１Ｂが該式９に基づく階調変換を実行する（図６：Ｓ６０５）。
【０１６４】
一方で、上記条件を満たさない旨判定した場合に階調変換式選定機能７１Ａは、上記式１１を選定すると共に、第２の階調変換機能７１Ｃに対して最大値（MAX）を添えた映像信号（変換指令信号）を送信し（図６：Ｓ６０４／いいえ）、これに応じて第２の階調変換機能７１Ｃが該式１１に基づく階調変換を実行する（図６：Ｓ６０６）。
【０１６５】
次いで、第１の階調変換機能７１Ｂ又は第２の階調変換機能７１Ｃの何れか一方から階調変換後の映像信号を受け取った円滑化処理手段８１は、その入力階調（変換後入力階調）が「Xa - A ≦ 入力階調 ≦ Xa + A （Ａは任意の正の数）」という円滑化条件を満たすか否かを判定する（図６：Ｓ６０７）。
【０１６６】
ここで、上記円滑化条件を満たす旨判定した場合に円滑化処理手段８１は（図６：Ｓ６０７／はい）、入力階調が変曲点（閾値）近傍に位置することから、式１６及び式１７に基づいて映像信号の円滑化を実行する（図６：Ｓ６０８）。
【０１６７】
一方で、上記円滑化条件を満たさない旨判定した場合に円滑化処理手段８１は（図６：Ｓ６０７／いいえ）、式１８に基づく処理を実行する。すなわち、かかる場合に円滑化処理手段８１は、受け取った映像信号の階調を変更（調整）せずに、そのままの状態で多階調化手段９１に受け渡す（図６：Ｓ６０９）。
【０１６８】
続いて、円滑化処理手段８１から処理後の映像信号を受け取った多階調化手段９１は、必要に応じて該映像信号に多階調化処理を施すと共に、これを表示部駆動ドライバ２１に対して所定の伝送フォーマットに従って伝送する（図６：Ｓ６１０）。
【０１６９】
上記各ステップＳ５０１〜Ｓ５０４（図５）及び各ステップＳ６０１〜Ｓ６１０（図６）における各工程の実行内容の一部又は全部をプログラム化すると共に、当該一連の各制御プログラムをコンピュータによって実現するように構成してもよい。
【０１７０】
（第１実施形態の効果等）
本実施形態における映像信号処理回路１２は、バックライト３０の輝度の低減処理に伴う階調変換を小規模な回路構成により有効に行う階調変換処理回路部５１を有するため、特に、高階調領域を多く含む映像信号に基づく画像の視認性と画質を保ち、かつ画質劣化（画像の違和感）を有意に抑制した状態で、大きな消費電力の削減を実現することができる。
【０１７１】
すなわち、映像信号処理回路１２を、ＬＵＴやメモリ等を用いずに（画素数に対応する入力データを一時保管しておくためのメモリ領域は不要）、映像信号の階調に対応づけた有効な階調変換を縮小した回路構成にて実現する構成としたため、各制御回路にかかる低消費電力化を図ることができ、このことが、バックライト３０の輝度低減処理と相まって、映像表示装置１００全体の消費電力を大きく低減できる。
【０１７２】
特に、閾値の階調よりも大きい階調が入力された場合において、本第１実施形態にかかる階調変換手段７１は、第２階調変換式に基づく線形的な階調変換を施すため、高階調側(白に近い側)での画質が潰れるといった画質劣化を抑制することができる。
【０１７３】
加えて、低階調側にかかる映像信号に対して階調変換手段７１は、理想的なガンマ曲線に合うように、輝度低減量と階調変換量とのバランスを考慮した階調変換式に基づく階調変換を実施するため、これまでの関連技術と比べても良質な画質を得ることができる。
【０１７４】
また、上記のように導出した閾値算定式（式１３）及び線形的に増加する一次関数（第２階調変換式：式１１）等は、四則演算で構成されているため、階調変換閾値算定手段６１及び第２の階調変換機能７１Ｃ等を、これらに基づく極めて小規模な回路構成とすることができる。
【０１７５】
本第１実施形態におけるバックライト３０の輝度の制御方法としては、上述したように、映像信号処理回路１２が、特徴値により決まる輝度低減量にかかる情報をＰＷＭ信号としてＢ／Ｌ駆動制御用基板３１に伝送するといいう構成（ＰＷＭ制御）を採用した。しかし、このＰＷＭ信号による制御に代えて、電流値に基づく制御を実行するように駆動制御信号生成処理手段４２を構成するようにしてもよい。
【０１７６】
本第１実施形態では、入力される映像信号の階調表現数が８bit(階調値は０〜２５５の値)であることを想定して説明した。しかし、階調表現数はこれに限定するものではなく、すなわち、６bitや１０bit等を採用するようにしてもよく、このようにしても、上記同様の原理に基づいて、映像信号の変換処理に際しての画質劣化の抑制及び低消費電力化を、小さな回路規模により有効に実現することができる。
【０１７７】
〔第２実施形態〕
本発明にかかる映像信号処理回路及び映像表示装置の第２実施形態を、図７乃至図９に基づいて説明する。前述した第１実施形態と同一の構成部材については、同一の符号を用いるものとする。
【０１７８】
（基本的構成）
前述した第１実施形態における階調変換処理回路部５１では、１つの閾値を境界として２つに分けた階調変換方式に基づく回路構成を採用し、これにより入力される映像信号の階調に応じた階調変換を実行するという構成を採った。
しかし、本第２実施形態では、階調変換閾値算定手段６１に代えて、２つの閾値を算定する機能を有する階調変換閾値算定手段６２を採用し、これを内包する階調変換処理回路部５２に、上記２つの閾値を境界として３つに分けた階調変換方式に基づく回路構成を採用した点に特徴を有する。
【０１７９】
図７に示すように、階調変換処理回路部５２は、特徴値・最大値算出手段４１にて算出した特徴値をもとに階調の変換にかかる複数の閾値を算定する階調変換閾値算定手段６２と、この階調変換閾値算定手段６２にて算定した閾値に基づいて映像信号供給源１４から供給される映像信号の階調を変換する階調変換手段７２と、この階調変換手段７２にて階調変換が施された映像信号（変換後映像信号）に対して有意なスムージング処理を施す円滑化処理手段（スムージング処理回路）８２と、ガンマ変換後の階調の分解能を確保するための処理を必要に応じて行う多階調化手段（多階調化回路）９１と、を有している。
【０１８０】
ここで、本第２実施形態において階調変換閾値算定手段６２が算定する閾値のうちで相対的に小さい方（以下、第１閾値とする）は、前述した第１実施形態における閾値（Xa）と同値となるように構成したため、これと同一の符号を用いて第１閾値（Xa）とし、相対的に大きい方については第２閾値（Xb）と表して以下の説明を行う（Xa＜Xb）。
【０１８１】
第１閾値（Xa）及び第２閾値（Xb）は、前述した第１実施形態と同様に、上記式４，又は式１４及び１５等に基づいて階調変換閾値算定手段６２が算定するという構成を採っている。また、第１閾値（Xa）及び第２閾値（Xb）の算定用に予め設定される係数αのうちで、第１閾値（Xa）を算定する際に用いる係数αを変換係数と指称し、第２閾値（Xb）を算定する際に用いる係数αを分割係数と指称する。
【０１８２】
図８を参照すると、本第２実施形態における階調変換手段７２は、全階調を第１閾値（Xa）を境界として分割した２つの領域のうちで、この第１閾値（Xa）以上の階調の領域をさらに２つに分割すると共に、これら各領域のそれぞれに性質の異なる関数を表す３つの階調変換式を対応づけた上で、各々の階調変換式に基づく階調変換を映像信号に施すように構成されている。
【０１８３】
すなわち、階調変換手段７２は、階調変換閾値算定手段６１が変換係数をもとに算定した第１閾値（Xa）以上の階調を分割係数に基づいて２つの領域に分割すると共に、これら２つの領域に相互に傾きの異なる２つの階調変換式を対応づける機能を有し、これら２つの階調変換式のうちで、相対的に小さい階調の領域に対応づけた階調変換式は、第１閾値（Xa）の階調から予め設定された階調表現数によって定まる最大階調までを真っ直ぐに結んだ直線よりも小さな傾きを有する一次関数であり、相対的に大きい階調の領域に対応づけた階調変換式は、前記閾値の階調から前記最大階調までを真っ直ぐに結んだ直線よりも大きな傾きを有する一次関数であるという構成を採っている。
【０１８４】
（具体的構成）
上述した通り、本第２実施形態では、図８に示すように、第１階調領域では、前述した第１実施形態と同様に、上記式９に基づいて輝度低減量を補完する形での階調変換が行われる。また、第２階調領域では、前述した第１実施形態にて採用した式１１に基づく階調変換に比べて階調差を緩やかにし、第３階調領域では、同じく第１実施形態にて採用した式１１に基づく階調変換に比べて階調差を急峻にするという構成を採っている。
すなわち、本第２実施形態では、上記式１１よりも小さな傾きを有する第２階調変換式と、式１１よりも大きな傾きを有する第３階調変換式とを採用した点に特徴を有する。
【０１８５】
かかる組み合わせによれば、例えば、第２閾値(Xb)以上である高階調領域の階調が、第１閾値（Xa）と第２閾値（Xb）との間の階調よりも多く含まれるような映像信号に対して有意な階調変換を施すことができ、これにより、画質の向上を図ることが可能となる。
【０１８６】
そこで、以下では、係数αにかかる具体的な数値を例示して、特に、階調変換手段７２による階調変換及びその前後の処理にかかる構成内容を説明する。
【０１８７】
階調変換閾値算定手段６２は、係数αの値を０．６に設定した場合の第１閾値（Xa）を算定する第１閾値算定機能６２Ａと、係数αの値を０．７に設定した場合の第２閾値（Xb）を算定する第２閾値算定機能６２Ｂと、を有している。
第１閾値算定機能６２Ａと第２閾値算定機能６２Ｂとは、それぞれが算定した閾値（Xa又はXb）を階調変換手段７２に送信するように構成されている。
【０１８８】
階調変換手段７２は、入力された映像信号の階調と階調変換閾値算定手段６２にて算出した閾値とを比較することで、予め設定された複数の階調変換式の内から何れか１つを選定する（階調変換に際して使用する階調変換式を決定する）と共に、この選定結果に従って映像信号を送信する階調変換式選定機能７２Ａを有し、本第２実施形態では、上記階調変換式として、第１階調変換式・第２階調変換式・第３階調変換式の３つを採用した。
【０１８９】
また、階調変換手段７２は、階調変換式選定機能７２Ａから映像信号を受け取って、第１階調変換式に基づく階調変換（輝度低減量に応じた階調変換）を行う第１の階調変換機能７２Ｂと、第２階調変換式に基づく階調変換を行う第２の階調変換機能７２Ｃと、第３階調変換式に基づく階調変換を行う第３の階調変換機能７２Ｄと、を有している。
【０１９０】
ここで、階調変換閾値算定手段６２は、特徴値・最大値算出手段４１から取得した特徴値及び最大値を階調変換手段７２の階調変換式選定機能７２Ａに受け渡すように構成され、この階調変換式選定機能７２Ａは、映像信号と共に、第１の階調変換機能７２Ｂに対しては該特徴値を、第２の階調変換機能７２Ｃ及び第３の階調変換機能７２Ｄに対しては該最大値を、それぞれ送信するという構成を採っている。
【０１９１】
また、階調変換閾値算定手段６２は、第２の階調変換機能７２Ｃに対して上記により算定した第１閾値（Xa）を送信し、第３の階調変換機能７２Ｄに対して上記により算定した第２閾値（Xb）を送信するように構成されている。
【０１９２】
すなわち、階調変換手段７２は、階調変換式選定機能７２Ａにて階調変換に用いる階調変換式を選定し、第１の階調変換機能７２Ｂ，第２の階調変換機能７２Ｃ，又は第３の階調変換機能７２Ｄにて、実際に入力された映像信号の階調を変換するように構成されている。
したがって、入力階調が、第１階調領域に属する場合には第１階調変換式に基づいて第１の階調変換機能７２Ｂが階調変換を実行し、第２階調領域に属する場合には第２階調変換式に基づいて第２の階調変換機能７２Ｃが階調変換を実行し、第３階調領域に属する場合には第３階調変換式に基づいて第３の階調変換機能７２Ｄが階調変換を実行するように構成されている。
【０１９３】
かかる構成を採用した本第２実施形態では、図８に示すように、階調領域を３つに分けることができるため、それぞれの領域に対応づけた上記３つの階調変換式を用いての有意な階調変換を階調変換手段７２にて実行することが可能となる。
【０１９４】
本第２実施形態においても、上記各階調変換式は、各々の境界に位置する端部（境界部）において連続するという構成を採り、すなわち、これらを示したグラフは、図８に示す通り連続的に接続されており、階調抜けがないように構成されている。
【０１９５】
この図８に表した各グラフも、横軸にとった入力階調と縦軸にとった映像表示部２０の相対輝度（最大輝度を１としたときの相対輝度）との関係を示すものであり、破線で示した曲線は、γ=2.2のときの階調特性を示すガンマ曲線である。
これに対して、本第２実施形態の階調変換方式にかかる入力階調と相対輝度との関係は、原点Ｏから第１閾値（Xa）までの領域（第１階調領域）に示す曲線と、閾値（Xa）から閾値（Xb）までの領域（第２階調領域）に示す直線と、閾値（Xb）から最大階調数までの領域（第３階調領域）に示す直線とで表すことができる。
【０１９６】
この連続的に接続された幾何級数的に増加する関数及び線形的に増加する一次関数から成るグラフ全体を、便宜上、階調変換曲線と指称する。
なお、前述した第１実施形態にかかる階調変換曲線を灰色の実線で示すことにより、本第２実施形態との相違点の明確化を図っている。
【０１９７】
階調変換式選定機能７２Ａは、入力階調が「第１閾値（Xa）＞入力階調」という第１条件を満たすか否かを判定する第１条件判定機能（図示せず）と、入力階調が「第１閾値（Xa）≦入力階調≦第２閾値（Xb）」という第２条件を満たすか否かを判定する第２条件判定機能（図示せず）と、を有する。
【０１９８】
すなわち、階調変換式選定機能７２Ａは、上記第１条件を満たす旨判定した場合に、上記第１階調変換式を選定すると共に第１の階調変換機能７２Ｂに対して特徴値（Rank）を添えた映像信号を送信し、上記第１条件を満たさない旨判定した場合に、入力階調が「第１閾値（Xa）≦入力階調≦第２閾値（Xb）」という第２条件を満たすか否かを判定するように構成されている。
【０１９９】
また、階調変換式選定機能７２Ａは、上記第２条件を満たす旨判定した場合に、上記第２階調変換式を選定すると共に第２の階調変換機能７２Ｃに対して最大値を添えた映像信号を送信し、上記第２条件を満たさない旨判定した場合に、上記第３階調変換式を選定すると共に第３の階調変換機能７２Ｄに対して最大値を添えた映像信号を送信するという構成を採っている。
【０２００】
円滑化処理手段８２は、図８に示す通り、変曲点Ｐ（Xa，0.6）が生じる第１閾値（Xa）の近傍及び変曲点Ｑ（Xb，0.7）が生じる第２閾値（Xb）の近傍の円滑化処理を、前述した第１実施形態における円滑化処理手段８１と同様に実行する、という構成を採っている。このため、画質劣化をより有効に抑制することが可能となる。
【０２０１】
本第２実施形態において、階調変換にかかる閾値が２つになったこと、及びこれに伴って階調変換式が３つになったことに関連する構成を除けば、前述した第１実施形態にかかる回路構成と同じ原理にて構成することができ、すなわち、他の構成内容については、前述した第１実施形態における映像表示装置１００の構成部材と同様である。
【０２０２】
（動作説明）
図７に開示した階調変換処理回路部５２にかかる動作を、図９に示すフローチャートに基づいて説明する。
【０２０３】
映像信号供給源１４から映像信号が入力されると（図９：Ｓ９０１）、これを取得した特徴値・最大値算出手段４１が、1フレーム中における映像信号全体の明るさに基づいて、映像信号の1フレーム中における明暗の度合を数値化した特徴値(Rank)及び最大値を算出する（図９：Ｓ９０２）。
【０２０４】
次いで、この特徴値及び最大値を取得した階調変換閾値算定手段６２は、該特徴値に基づいて階調の変換にかかる第１閾値（Xa）と第２閾値（Xb）とを算定する（図６：Ｓ９０３）。
【０２０５】
この算定された第１閾値（Xa）及び第２閾値（Xb）を受け取った階調変換手段７２は階調変換式選定機能７２Ａにて、これら各閾値（Xa及びXb）と入力された映像信号の階調の値とを比較することにより、第１階調変換式・第２階調変換式・第３階調変換式の内の何れを選定する。
【０２０６】
すなわち、階調変換式選定機能７２Ａは、まず、入力階調が「第１閾値（Xa）＞入力階調」という第１条件を満たすか否かを判定する（図９：Ｓ９０４）。
【０２０７】
ここで、上記第１条件を満たす旨判定した場合に階調変換式選定機能７２Ａは、上記第１階調変換式を選定すると共に、第１の階調変換機能７２Ｂに対して特徴値（Rank）を添えた映像信号を送信し（図９：Ｓ９０４／はい）、これに応じて第１の階調変換機能７２Ｂが該第１階調変換式に基づく階調変換を実行する（図９：Ｓ９０５）。
【０２０８】
一方で、上記第１条件を満たさない旨判定した場合に階調変換式選定機能７２Ａは（図９：Ｓ９０４／いいえ）、入力階調が「第１閾値（Xa）≦入力階調≦第２閾値（Xb）」という第２条件を満たすか否かを判定する（図９：Ｓ９０６）。
【０２０９】
ここで、上記第２条件を満たす旨判定した場合に階調変換式選定機能７２Ａは、上記第２階調変換式を選定すると共に、第２の階調変換機能７２Ｃに対して最大値を添えた映像信号を送信し（図９：Ｓ９０６／はい）、これに応じて第２の階調変換機能７２Ｃが該第２階調変換式に基づく階調変換を実行する（図９：Ｓ９０７）。
【０２１０】
一方、上記第２条件を満たさない旨判定した場合に階調変換式選定機能７２Ａは、上記第３階調変換式を選定すると共に、第３の階調変換機能７２Ｄに対して最大値を添えた映像信号を送信し（図９：Ｓ９０６／いいえ）、これに応じて第３の階調変換機能７２Ｄが該第３階調変換式に基づく階調変換を実行する（図９：Ｓ９０８）。
【０２１１】
次いで、第１の階調変換機能７２Ｂ，第２の階調変換機能７２Ｃ，又は第３の階調変換機能７２Ｄの何れか１つから、各々における階調変換後の映像信号を受け取った円滑化処理手段８２は、前述した第１実施形態におけるスムージング処理（図６：Ｓ６０７〜Ｓ６０９）と同様の処理により、映像信号の円滑化を実行する（図９：Ｓ９０９）。
【０２１２】
続いて、円滑化処理手段８２から円滑化処理後の映像信号を受け取った多階調化手段９１は、必要に応じて該映像信号に多階調化処理を施すと共に、これを所定の伝送フォーマットに従って表示部駆動ドライバ２１に伝送する（図９：Ｓ９１０）。
【０２１３】
上記動作内容は、便宜上、図９に付した番号の順（Ｓ９０１〜Ｓ９１０）に説明したが、本第２実施形態における動作順序は、必ずしもこれに限定されるものではない。また、上記各ステップＳ９０１〜Ｓ９１０（図９）における各工程の実行内容の一部又は全部をプログラム化すると共に、当該一連の各制御プログラムをコンピュータによって実現するように構成してもよい。
【０２１４】
（第２実施形態の効果等）
【０２１５】
本第２実施形態では、前述したように、階調変換閾値算定手段６２が２つの閾値を算定し、これを受けた階調変換手段７２が、第１閾値（Xa）以上の階調を２つに分けると共にそれぞれの領域に対応づけた各階調変換式を用いて階調変換を実行するという構成を採用したため、例えば高階調側領域において、特に傾きを急峻にしたい領域や傾きを緩やかにしても画質に影響を与えない領域等に対して柔軟に階調変換式を設定することができることから、より自由度の高い階調変換が可能となり、
【０２１６】
すなわち、映像信号の１フレーム中における階調に応じて３つの階調変換式を使い分けるという構成を採用したため、画質劣化を最小限に抑えると共に、バックライト３０の輝度を有意に低減させることが可能となる。
【０２１７】
また、階調変換にかかる閾値を３つ以上設けるという構成を採用してもよい。
すなわち、階調変換手段７２に、第１閾値（Xa）以上の階調を予め設定された複数（ｎ：任意の自然数）の異なる分割係数に基づいて複数（ｎ＋１）の領域に分割すると共に、これら各々の領域に対して傾きの異なる複数（ｎ＋１）の階調変換式を対応づけるという構成を採用してもよい。
このようにすれば、階調変換式を各階調領域に対してより細かく対応づけることができるため、さらに自由度の高い階調変換が可能となる。
【０２１８】
本第２実施形態では、階調変換式選定機能７２Ａが各階調変換式を選定するに際して、まず「第１閾値（Xa）＞入力階調：第１条件」にかかる判定を行い、次いで「第１閾値（Xa）≦入力階調≦第２閾値（Xｂ）：第２条件」にかかる判定を行うという構成を採用した。しかし、例えば、まず「第２閾値（Xb）＜入力階調」という条件にかかる判定を行い、次いで「第１閾値（Xa）≦入力階調≦第２閾値（Xb）」という条件にかかる判定を行うといった別の手法により階調変換式を選定するように構成してもよい。
【０２１９】
また、上述した具体的構成にかかる階調変換処理については、閾値の算出にかかる係数αのうち、変換係数を０．６，分割係数を０．７とし、これから導出した第１閾値（Xa），第２閾値（Xb）に基づいて説明を行ったが、特に第２閾値（Xb）にかかる分割係数は、多様な映像信号や動作環境に応じて「０．６＜分割係数＜１」の範囲内において柔軟に設定するようにしてもよい。もっとも、第１閾値（Xa）にかかる変換係数についても同様である。
【０２２０】
他の効果等については、前述した第１実施形態と同様であり、すなわち、本第２実施形態にかかる映像信号処理回路及び映像表示装置によれば、映像信号の変換処理に際しての画質劣化の抑制及び低消費電力化を小さな回路規模により有効に実現することができる。
【０２２１】
なお、上述した各実施形態は、映像信号処理回路，映像表示装置，映像信号処理方法，及びそのプログラムにおける好適な具体例であり、技術的に好ましい種々の限定を付している場合もある。しかし、本発明の技術範囲は、特に本発明を限定する記載がない限り、これらの態様に限定されるものではない。
【０２２２】
以下は、上述した実施形態についての新規な技術的内容の要点をまとめたものであるが、本発明は必ずしもこれに限定されるものではない。
【０２２３】
（付記１）
外部入力された映像信号を分析すると共に、この分析の結果に基づいて、当該映像信号に画質調整用の変換処理を施した上でこれを映像表示部に向けて送出し、且つこの映像表示部を背面から照らすバックライトにかかる駆動制御信号を生成し送信する映像信号処理回路であって、
前記映像信号の明暗の度合を数値化した特徴値を算出する特徴値算出部と、
この特徴値と当該特徴値により特定される閾値とに基づいて前記映像信号の階調の変換処理を実行する階調変換処理部と、を有し、
前記階調変換処理部は、
前記特徴値と予め設定された変換係数とをもとに構成される閾値算定式に基づいて前記閾値を算定する階調変換閾値算定手段と、
前記映像信号の階調が前記閾値以上である場合に、線形的に増加する一次関数に基づく階調変換を当該映像信号に施す階調変換手段と、を有することを特徴とした映像信号処理回路。
【０２２４】
（付記２）
前記付記１に記載の映像信号処理回路において、
前記閾値算定式が、四則演算のみ(所定の係数は含む)で構成されていることを特徴とした映像信号処理回路。
【０２２５】
（付記３）
前記付記１に記載の映像信号処理回路において、
前記閾値をXa，前記特徴値をRank，前記変換係数をαとした場合に、
前記閾値算定式は、「Xa =α＾( 1 / 2.2 ) × Rank」なる数式にて表されることを特徴とした映像信号処理回路。
【０２２６】
（付記４）
前記付記１乃至３の何れか１つに記載の映像信号処理回路において、
前記線形的に増加する一次関数が、四則演算のみ(所定の係数は含む)で構成されていることを特徴とした映像信号処理回路。
【０２２７】
（付記５）
前記付記１乃至４の何れか１つに記載の映像信号処理回路において、
前記映像信号の階調の最大値を算出する階調最大値算出部をさらに有し、
前記線形的に増加する一次関数は、前記閾値と前記最大値とをもとに構成された階調変換式で表されることを特徴とした映像信号処理回路。
【０２２８】
（付記６）
前記付記５に記載の映像信号処理回路において、
前記最大値をMAX，前記映像信号の階調を入力階調，最大階調（ 2＾n - 1 ：nは予め設定された階調表現数）をf(n)，前記変換係数をα，γ=2.2のガンマ曲線上において相対輝度がαの時の階調値をX2.2，前記閾値をXa，前記映像表示部に向けて送出する映像信号の階調を出力階調とした場合に、
前記階調変換式は、「出力階調 = f(n) +｛( f(n) - X2.2 ) / ( MAX - Xa )｝× ( 入力階調 - MAX )」なる数式にて表されることを特徴とした映像信号処理回路。
【０２２９】
（付記７）
前記付記１乃至４の何れか１つに記載の映像信号処理回路において、
前記線形的に増加する一次関数は、前記閾値の階調から予め設定された階調数によって定まる最大階調までを真っ直ぐに結んだ直線を表すことを特徴とした映像信号処理回路。
【０２３０】
（付記８）
前記付記１乃至４の何れか１つに記載の映像信号処理回路において、
前記階調変換手段は、前記閾値以上の階調を予め設定された分割係数に基づいて複数の領域に分割すると共に、これら各々の領域に前記線形的に増加する一次関数として傾きの異なる複数の階調変換式を対応づけることを特徴とした映像信号処理回路。
【０２３１】
（付記９）
前記付記１乃至４の何れか１つに記載の映像信号処理回路において、
前記階調変換手段は、前記閾値以上の階調を予め設定された分割係数に基づいて２つの領域に分割すると共に、これら２つの領域に前記線形的に増加する一次関数として相互に傾きの異なる２つの階調変換式を対応づける機能を有し、
前記２つの階調変換式のうちで、
相対的に小さい階調の領域に対応づけた階調変換式は、前記閾値の階調から予め設定された階調表現数によって定まる最大階調までを真っ直ぐに結んだ直線よりも小さな傾きを有する一次関数であり、
相対的に大きい階調の領域に対応づけた階調変換式は、前記閾値の階調から前記最大階調までを真っ直ぐに結んだ直線よりも大きな傾きを有する一次関数であることを特徴とした映像信号処理回路。
【０２３２】
（付記１０）
前記付記１乃至９の何れか１つに記載の映像信号処理回路において、
前記階調変換手段は、前記映像信号の内で前記閾値よりも小さい階調である領域を対象として、前記特徴値をもとに構成された幾何級数的に増加する関数に基づく階調変換を施すことを特徴とした映像信号処理回路。
【０２３３】
（付記１１）
前記付記１乃至９の何れか１つに記載の映像信号処理回路において、
前記バックライトの輝度の低減量を示す前記駆動制御信号を前記特徴値に基づいて生成すると共にこれを当該バックライトに向けて送信する制御信号生成処理部をさらに有し、
前記階調変換手段は、前記映像信号の内で前記閾値よりも小さな階調を有する映像信号に対して、前記輝度の低減量をもとに構成された幾何級数的に増加する関数に基づく階調変換を施すことを特徴とした映像信号処理回路。
【０２３４】
（付記１２）
前記付記１０又は１１に記載の映像信号処理回路において、
前記映像信号の階調を入力階調，最大階調（ 2＾n - 1 ：nは予め設定された階調表現数）をf(n)，前記特徴値をRank，前記映像表示部に向けて送出する映像信号の階調を出力階調とした場合に、
前記幾何級数的に増加する関数は、「出力階調 = ( f(n) / Rank ) × 入力階調」なる数式にて表されることを特徴とした映像信号処理回路。
【０２３５】
（付記１３）
前記付記１乃至９の何れか１つに記載の映像信号処理回路において、
前記バックライトの輝度の低減量を前記特徴値に基づいて決定すると共に、この輝度低減量を示す駆動制御信号を生成してこれを当該バックライトに向けて送信する制御信号生成処理部をさらに有し、
前記階調変換手段は、前記映像信号の階調が前記閾値より小さい場合に、前記制御信号生成処理部が決定した輝度低減量分を補完する階調変換を当該映像信号に施すことを特徴とした映像信号処理回路。
【０２３６】
（付記１４）
前記付記１０乃至１２に記載の映像信号処理回路において、
前記幾何級数的に増加する関数と前記線形的に増加する一次関数とが、前記閾値に位置する境界部にて連続することを特徴とした映像信号処理回路。
【０２３７】
（付記１５）
前記付記１乃至１４の何れか１つに記載の映像信号処理回路において、
前記階調変換処理部は、前記映像信号の階調が前記閾値の近傍に予め設定された円滑化領域に属するか否かを判定すると共に、当該円滑化領域に属する旨判定した場合に、前記閾値と前記映像信号の階調との差分に基づいて円滑化係数を算出してこれを当該映像信号の階調から減算する円滑化処理手段をさらに有することを特徴とした映像信号処理回路。
【０２３８】
（付記１６）
前記付記１５に記載の映像信号処理回路において、
前記映像信号の階調の最大値をMAX，前記映像信号の階調を入力階調，前記閾値をXa，前記特徴値をRank，Aを任意の正の数，nを予め設定された階調数とした場合に、
前記円滑化領域は、「 Xa - A ≦ 入力階調 ≦ Xa + A 」という条件式で表され、
前記円滑化処理手段は、前記円滑化係数を「｛( A - | Xa -入力階調 | )＾2 ｝×｛( MAX - Rank ) / ( 2＾n )｝」なる数式に則して算出することを特徴とした映像信号処理回路。
【０２３９】
（付記１７）
前記付記１５又は１６に記載の映像信号処理回路において、
前記円滑化処理手段は、前記円滑化領域に属しない旨判定した場合に、前記映像信号をそのまま前記映像表示部に向けて出力することを特徴とした映像信号処理回路。
【０２４０】
（付記１８）
前記付記１乃至１７の何れか１つに記載の映像信号処理回路において、
前記階調変換閾値算定手段は、前記閾値を、外部入力された映像信号が内包する情報のみ(所定の係数は含む)に基づいて算定することを特徴とした映像信号処理回路。
【０２４１】
（付記１９）
前記付記１乃至１８の何れか１つに記載の映像信号処理回路において、
前記閾値をXa，前記特徴値をRank，前記変換係数をαとした場合に、
前記階調変換閾値算定手段は、「β = 256 × α＾( 1 / 2.2 )」なる数式に基づく近似計算により当該βを整数として求めると共に、これを「Xa = ( β × Rank ) / 256」なる数式に適用して前記閾値を算定する近似閾値算定機能を有することを特徴とした映像信号処理回路。
【０２４２】
（付記２０）
前記請求項１乃至１９の何れか１つに記載の映像信号処理回路において、
前記変換係数を予め０．６に設定したことを特徴とする映像信号処理回路。
【０２４３】
（付記２１）
前記付記１乃至１６の何れか１つに記載の映像信号処理回路において、
階調変換閾値算定手段が、前記変換係数の如何にかかわらず、前記閾値算定式として「 Xa = ( 203 × Rank ) / 256 」なる数式を適用することを特徴とした映像信号処理回路。
【０２４４】
（付記２２）
外部に向けて映像を表示する映像表示部と、
この映像表示部を背面から照らすバックライトと、
外部入力された映像信号を分析すると共に、この分析の結果に基づいて、当該映像信号に画質調整用の変換処理を施した上でこれを前記映像表示部に向けて送出し、且つこの映像表示部を背面から照らすバックライトにかかる駆動制御信号を生成し送信する映像信号処理回路と、を有し、
この映像信号処理回路として、前記付記１乃至２１の何れか１つに記載の映像処理回路を備えたことを特徴とする映像表示装置。
【０２４５】
（付記２３）
外部入力された映像信号を分析すると共に、この分析の結果に基づいて、当該映像信号に画質調整用の変換処理を施した上でこれを映像表示部に向けて送出する階調変換処理部と、この映像表示部を背面から照らすバックライトにかかる駆動制御信号を生成し送信する輝度制御回路部と、を有する映像信号処理回路にあって、
前記映像信号の明暗の度合を数値化した特徴値を前記輝度制御回路部が算出し、
この特徴値と予め設定された変換係数とをもとに構成される閾値算定式に基づいて前記階調の変換にかかる閾値を前記階調変換処理部が算定し、
前記映像信号の階調が前記閾値以上であるか否かを前記階調変換処理部が判定し、
前記閾値以上である旨判定した場合に、線形的に増加する一次関数に基づく階調変換を前記階調変換処理部が当該映像信号に施すことを特徴とした映像信号処理方法。
【０２４６】
（付記２４）
前記付記２３に記載の映像信号処理方法において、
前記階調変換手段は、前記閾値以上の階調を予め設定された分割係数に基づいて２つの領域に分割し、
前記外部入力された映像信号の階調が、前記２つの領域の内で相対的に小さい階調の領域に属するか否かを判定し、
属する旨判定した場合には、前記線形的に増加する一次関数として、前記閾値の階調から予め設定された階調表現数によって定まる最大階調までを真っ直ぐに結んだ直線よりも小さな傾きを有する一次関数を適用し、
属しない旨判定した場合には、前記線形的に増加する一次関数として、前記閾値の階調から前記最大階調までを真っ直ぐに結んだ直線よりも大きな傾きを有する一次関数を適用し、
これら一連の各工程内容を前記階調変換処理部が順次実行することを特徴とした映像信号処理方法。
【０２４７】
（付記２５）
前記付記２３又は２４に記載の映像信号処理方法において、
前記バックライトの輝度の低減量を示す前記駆動制御信号を前記特徴値に基づいて生成し、
この生成した駆動制御信号を前記バックライトに向けて送信し、
これら一連の各工程内容を前記輝度制御回路部が前記特徴値の算出を終えた後に順次実行することを特徴とした映像信号処理方法。
【０２４８】
（付記２６）
前記付記２３乃至２５の何れか１つに記載の映像信号処理方法において、
前記映像信号の階調が前記閾値以上であるか否かを判定した際に、
前記閾値以上ではない旨判定した場合に、前記特徴値をもとに構成された幾何級数的に増加する関数に基づく階調変換を前記階調変換処理部が当該映像信号に施すことを特徴とした映像信号処理方法。
【０２４９】
（付記２７）
前記付記２３乃至２６の何れか１つに記載の映像信号処理方法において、
前記外部入力された映像信号の階調が前記閾値の近傍に予め設定された円滑化領域に属するか否かを判定し、
この円滑化領域に属する旨判定した場合に、前記閾値と前記映像信号の階調との差分に基づいて円滑化係数を算出し、
この算出した円滑化係数を前記階調変換後の映像信号の階調から減算し、
これら一連の各工程内容を前記階調変換処理部が順次実行することを特徴とした映像信号処理方法。
【０２５０】
（付記２８）
外部入力された映像信号を分析すると共に、この分析の結果に基づいて、当該映像信号に画質調整用の変換処理を施した上でこれを映像表示部に向けて送出し、且つこの映像表示部を背面から照らすバックライトにかかる駆動制御信号を生成し送信する映像信号処理回路にあって、
前記映像信号の明暗の度合を数値化した特徴値を算出する特徴値算出手段、
この特徴値と予め設定された変換係数とをもとに構成される閾値算定式に基づいて前記階調の変換にかかる閾値を算定する階調変換閾値算定手段、
前記映像信号の階調が前記閾値以上であるか否かを判定する階調判定手段、
この階調判定手段にて前記閾値以上である旨判定した場合に、線形的に増加する一次関数に基づく階調変換を当該映像信号に施す線形的階調変換手段、
として、前記映像信号処理回路に予め設けられたコンピュータを機能させるための映像信号処理プログラム。
【０２５１】
（付記２９）
外部入力された映像信号を分析すると共に、この分析の結果に基づいて、当該映像信号に画質調整用の変換処理を施した上でこれを映像表示部に向けて送出し、且つこの映像表示部を背面から照らすバックライトにかかる駆動制御信号を生成し送信する映像信号処理回路にあって、
前記映像信号の明暗の度合を数値化した特徴値を算出する特徴値算出手段、
この特徴値と予め設定された変換係数とをもとに構成される閾値算定式に基づいて前記階調の変換にかかる閾値を算定する階調変換閾値算定手段、
前記映像信号の階調が前記閾値以上であるか否かを判定する階調判定手段、
前記閾値以上の階調を予め設定された分割係数に基づいて２つの領域に分割する領域分割手段、
前記階調判定手段にて前記映像信号の階調が前記閾値以上である旨判定した場合に、当該映像信号の階調が、前記２つの領域の内で相対的に小さい階調の領域に属するか否かを判定する階調領域判定手段、
この階調領域判定手段にて属する旨判定した場合に、前記閾値の階調から予め設定された階調表現数によって定まる最大階調までを真っ直ぐに結んだ直線よりも小さな傾きを有する一次関数に基づく階調変換を前記映像信号に施す緩傾斜線形階調変換手段、
として、前記映像信号処理回路に予め設けられたコンピュータを機能させるための映像信号処理プログラム。
【０２５２】
（付記３０）
前記付記２９に記載の映像信号処理プログラムにおいて、
この階調領域判定手段にて属しない旨判定した場合に、前記閾値の階調から前記最大階調までを真っ直ぐに結んだ直線よりも大きな傾きを有する一次関数に基づく階調変換を前記映像信号に施す急傾斜線形階調変換手段、
として、前記コンピュータを機能させるための映像信号処理プログラム。
【０２５３】
（付記３１）
前記付記２８乃至３０の何れか１つに記載の映像信号処理プログラムにおいて、
前記バックライトの輝度の低減量を示す前記駆動制御信号を前記特徴値に基づいて生成すると共にこれを当該バックライトに向けて送信する制御信号生成処理手段、
として、前記コンピュータを機能させるための映像信号処理プログラム。
（付記３２）
前記付記２８乃至３１の何れか１つに記載の映像信号処理プログラムにおいて、
前記階調判定手段にて前記映像信号の階調が前記閾値以上ではない旨判定した場合に、前記特徴値をもとに構成された幾何級数的に増加する関数に基づいて当該映像信号に階調変換を施す幾何級数的階調変換手段、
として、前記コンピュータを機能させるための映像信号処理プログラム。
【０２５４】
（付記３３）
前記付記２８乃至３２の何れか１つに記載の映像信号処理プログラムにおいて、
前記外部入力された映像信号の階調が前記閾値の近傍に予め設定された円滑化領域に属するか否かを判定する閾値近傍判定手段、
前記閾値近傍判定手段にて属する旨判定した場合に、前記閾値と前記映像信号の階調との差分に基づいて円滑化係数を算出すると共に、これを前記階調変換後の映像信号の階調から減算する円滑化処理手段、
として、前記コンピュータを機能させるための映像信号処理プログラム。
【産業上の利用可能性】
【０２５５】
本発明は、情報処理装置などの各種表示装置に適用することが可能である。
【符号の説明】
【０２５６】
１０    信号処理基板
１１    電源生成回路
１２    映像信号処理回路
１３    電源供給源
１４    映像信号供給源
２０    映像表示部
２１    表示部駆動ドライバ
２２    表示部走査用ドライバ
３０    バックライト（Ｂ／Ｌ）
３１    Ｂ／Ｌ駆動制御用基板
３１Ａ    Ｂ／Ｌ駆動制御回路
３２    Ｂ／Ｌ用電源供給源
４０    輝度制御回路部
４１    特徴値・最大値算出手段
４２    駆動制御信号生成処理手段
５１，５２    階調変換処理回路部
６１，６２    階調変換閾値算定手段
６２Ａ    第１閾値算定機能
６２Ｂ    第２閾値算定機能
７１，７２    階調変換手段
７１Ａ，７２Ａ    階調変換式選定機能
７１Ｂ，７２Ｂ    第１の階調変換機能
７１Ｃ，７２Ｃ    第２の階調変換機能
７２Ｄ    第３の階調変換機能
８１，８２    円滑化処理手段
９１    多階調化手段
１００    映像表示装置
【図１】
2015034841.tif 000003
【図２】
2015034841.tif 000004
【図３】
2015034841.tif 000005
【図４】
2015034841.tif 000006
【図５】
2015034841.tif 000007
【図６】
2015034841.tif 000008
【図７】
2015034841.tif 000009
【図８】
2015034841.tif 000010
【図９】
2015034841.tif 000011